(57)【要約】本発明は、無線端末が、ネットワークが指定する測定情報を、アイドル状態の間に取得し、アクティブ状態の間に当該取得した測定情報を報告する無線通信システムであって、第１の無線アクセス技術の第１のセルを運用する第１の無線局は、第１のセルにおいて、前記無線端末に、前記第１のセルにおける前記測定情報の取得に関する第１の設定情報の通知を行う通知手段と、第１のセルにおいて取得した前記測定情報に関する情報を、前記第１の無線アクセス技術とは異なる第２の無線アクセス技術の第２のセルに移動後に報告するよう指示する指示手段とを有する無線通信システムである。
2013047835.tif 000002
【特許請求の範囲】
【請求項１】
無線端末が、ネットワークが指定する測定情報を、アイドル状態の間に取得し、アクティブ状態の間に当該取得した測定情報を報告する無線通信システムであって、
第１の無線アクセス技術の第１のセルを運用する第１の無線局は、第１のセルにおいて、
前記無線端末に、前記第１のセルにおける前記測定情報の取得に関する第１の設定情報の通知を行う通知手段と、
前記第１の無線アクセス技術とは異なる第２の無線アクセス技術の第２のセルに移動後に前記第１のセルにおいて取得した前記測定情報に関する情報の報告を行うよう、前記無線端末に指示する指示手段と
を有する無線通信システム。
【請求項２】
前記指示手段は、前記第１のセルにおいて取得した前記測定情報に関する情報として、前記第１のセルにおいて取得した第１の測定情報の保有の有無を、前記無線端末に報告させる指示を行う
請求項１に記載の無線通信システム。
【請求項３】
前記指示手段は、前記第１のセルにおいて取得した前記測定情報に関する情報として、前記第１のセルにおいて取得した第１の測定情報を、前記無線端末に報告させる指示を行う
請求項１に記載の無線通信システム。
【請求項４】
前記無線端末が、前記第２のセルを運用する第２の無線局に、前記第１のセルにおいて取得した前記第１の測定情報を保有している事を報告する報告手段を有する
請求項１から請求項３のいずれかに記載の無線通信システム。
【請求項５】
前記無線端末が、前記第１の無線アクセス技術の識別子が付加された前記第１の測定情報を、前記第２のセルにて報告する
請求項４に記載の無線通信システム。
【請求項６】
前記第１の無線局が、前記第２のセルに移動後に、前記第２のセルにおける第２の測定情報の取得を行うように、前記無線端末に要求をする要求手段を有する
請求項１から請求項５のいずれかに記載の無線通信システム。
【請求項７】
前記第１の無線局が、前記要求を、当該要求を示すメッセージと、前記第２のセルにおける前記測定情報の取得に関する第２の設定情報の通知メッセージの少なくともいずれか一方のメッセージの送信で行う
請求項６に記載の無線通信システム。
【請求項８】
前記無線端末が、前記第２の無線局に対し、前記要求を受けた事を示す要求受信通知、又は、前記第１の無線局から通知された前記第２の設定情報の報告を行う
請求項６又は請求項７に記載の無線通信システム。
【請求項９】
前記第２の無線局が、前記要求受信通知、又は、前記第２の設定情報の報告を行なった前記無線端末に対して、
前記第２の測定情報の取得を行う指示、又は、前記第２の設定情報の通知を行う
請求項８に記載の無線通信システム。
【請求項１０】
前記無線端末が、
前記第１のセル及び前記第２のセルのそれぞれにおける前記測定情報の取得対象となる第１の測定項目及び第２の測定項目の情報を予め保有し、
前記第１のセルから第２のセルへ移動後に、前記第１の測定項目から前記第２の測定項目へと取得の対象を切り替える
請求項６から請求項９のいずれかに記載の無線通信システム。
【請求項１１】
前記無線端末が、
前記第２のセルに移動後、前記第１の設定情報の少なくとも一部を再利用して、前記第２のセルにおける第２の測定情報の取得を行う
請求項６から請求項１０のいずれかに記載の無線通信システム。
【請求項１２】
前記第１の設定情報、又は、前記第２の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む
請求項１から請求項１１のいずれかに記載の無線通信システム。
【請求項１３】
前記無線端末が、
前記絶対時刻、前記記録期間、前記記録周期、前記トレース関連情報、の少なくともいずれかを引き継ぐ
請求項１２に記載の無線通信システム。
【請求項１４】
前記無線端末が、
前記記録期間、前記記録周期、の少なくとも一方をタイマで計測し、
前記記録期間を計測するタイマ値、前記記録周期を計測するタイマ値、の少なくとも一方を継続する、
請求項１３に記載の無線通信システム。
【請求項１５】
前記無線端末が、前記第１のセルにおいて取得した第１の測定情報と、前記第２のセルにおいて取得した第２の測定情報とを区別する
請求項１から請求項１４のいずれかに記載の無線通信システム。
【請求項１６】
前記無線端末が、前記第１の測定情報または前記第２の測定情報の報告時に、測定情報を取得したセルに対応する無線アクセス技術を示す情報を付加する
ことを特徴とする請求項１５に記載の無線通信システム。
【請求項１７】
前記無線端末が、前記第２の測定情報の取得開始時に前記第２の無線アクセス技術を示す情報を付加することを特徴とする請求項１５又は請求項１６に記載の無線通信システム。
【請求項１８】
前記無線端末が、前記第２のセルから前記第１のセルに移動後に、前記第２の測定情報の報告、及び、前記第１の測定情報の取得を行う
請求項１から請求項１７のいずれかに記載の無線通信システム。
【請求項１９】
無線局が、無線基地局又は基地局制御局である
請求項１から請求項１８のいずれかに記載の無線通信システム。
【請求項２０】
ネットワークが指定する測定情報を、アイドル状態の間に取得し、アクティブ状態の間に当該取得した測定情報を報告する無線端末であって、
第１の無線アクセス技術の第１のセルを運用する第１の無線局から、前記第１のセルにおける前記測定情報の取得に関する第１の設定情報を受信し、前記第１のセルにおいて取得した前記測定情報に関する情報を、前記第１の無線アクセス技術とは異なる第２の無線アクセス技術の第２のセルに移動後に報告する指示を受信する手段と、
前記指示に基づいて、前記第２のセルにおいて前記測定情報に関する情報を報告する報告手段と
を有する無線端末。
【請求項２１】
前記報告手段は、
前記第２のセルを運用する第２の無線局に、前記第１のセルにおいて取得した前記測定情報に関する情報として、前記第１のセルにおいて取得した第１の測定情報を保有している事を報告する
請求項２０に記載の無線端末。
【請求項２２】
前記報告手段は、
前記第１の無線アクセス技術の識別子が付加された前記第１の測定情報を、前記第２のセルにて報告する
請求項２１に記載の無線端末。
【請求項２３】
前記第１の無線局から、前記第２のセルに移動後に、前記第２のセルにおける測定情報の取得の要求に基づいて、前記第２のセルにおいて測定情報を取得する測定情報取得手段を有する
請求項２０から請求項２２のいずれかに記載の無線端末。
【請求項２４】
前記第１の無線局から、当該要求を示すメッセージと、前記第２のセルにおける前記測定情報の取得に関する第２の設定情報の通知メッセージとの少なくともいずれか一方を含む要求を受信し、
前記第２の無線局に、前記要求を受けた事を示す要求受信通知、又は、前記第１の無線局から通知された前記第２の設定情報の報告を行う手段
を有する請求項２３に記載の無線端末。
【請求項２５】
前記第２の無線局から、前記第２のセルにおける測定情報の取得を行う指示、又は、前記第２の設定情報を受信し、
前記第２のセルにおいて第２の測定情報を取得する
請求項２４に記載の無線端末。
【請求項２６】
前記測定情報取得手段は、
前記第１のセル及び前記第２のセルのそれぞれにおける前記測定情報の取得対象となる第１の測定項目及び第２の測定項目の情報を予め保有し、
前記第１のセルから第２のセルへ移動後に、前記第１の測定項目から前記第２の測定項目へと取得の対象を切り替える
請求項２３から請求項２５のいずれかに記載の無線端末。
【請求項２７】
前記測定情報取得手段は、
前記第２のセルに移動後、前記第１の設定情報の少なくとも一部を再利用して、前記第２のセルにおける第２の測定情報の取得を行う
請求項２３から請求項２６のいずれかに記載の無線端末。
【請求項２８】
前記第１の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む
請求項２０から請求項２７のいずれかに記載の無線端末。
【請求項２９】
前記測定情報取得手段は、
前記絶対時刻、前記記録期間、前記記録周期、前記トレース関連情報、の少なくともいずれかを引き継ぐ
請求項２８に記載の無線端末。
【請求項３０】
前記測定情報取得手段は、
前記記録期間、前記記録周期、の少なくとも一方をタイマで計測し、
前記記録期間を計測するタイマ値、前記記録周期を計測するタイマ値、の少なくとも一方を継続する、
請求項２９に記載の無線端末。
【請求項３１】
前記測定情報取得手段は、
前記第１のセルにおいて取得した第１の測定情報と、前記第２のセルにおいて取得した第２の測定情報とを区別する
請求項２３から請求項３０のいずれかに記載の無線端末。
【請求項３２】
前記測定情報取得手段は、
前記第１の測定情報または前記第２の測定情報の報告時に、取得した測定情報に対応する無線アクセス技術を示す情報を付加する
ことを特徴とする請求項３１に記載の無線端末。
【請求項３３】
前記測定情報取得手段は、
前記第２の測定情報の取得開始時に前記第２の無線アクセス技術を示す情報を付加することを特徴とする請求項３１又は請求項３２に記載の無線端末。
【請求項３４】
前記測定情報取得手段は、
前記第２のセルから前記第１のセルに移動後に、前記第１の測定情報の取得を行う
請求項２３から請求項３３のいずれかに記載の無線端末。
【請求項３５】
無線端末が、ネットワークが指定する測定情報を、アイドル状態の間に取得し、アクティブ状態の間に当該取得した測定情報を報告する無線通信システムにおける無線局であって、
前記無線局は、第１の無線アクセス技術の第１のセルを運用する無線局であり、
前記第１のセルの無線端末に、前記第１のセルにおける前記測定情報の取得に関する第１の設定情報の通知を行う通知手段と、
前記第１の無線アクセス技術とは異なる第２の無線アクセス技術の第２のセルに移動後に前記第１のセルにおいて取得した前記測定情報に関する情報の報告を行うよう、前記無線端末に指示する指示手段と
を有する無線局。
【請求項３６】
前記指示手段は、前記第１のセルにおいて取得した前記測定情報に関する情報として、前記第１のセルにおいて取得した第１の測定情報の保有の有無を、前記無線端末に報告させる指示を行う
請求項３５に記載の無線局。
【請求項３７】
前記指示手段は、前記第１のセルにおいて取得した前記測定情報に関する情報として、前記第１のセルにおいて取得した第１の測定情報を、前記無線端末に報告させる指示を行う
請求項３５に記載の無線局。
【請求項３８】
前記第２のセルに移動後に、前記第２のセルにおける前記測定情報の取得を行うように、前記無線端末に要求をする要求手段を有する
請求項３５から請求項３７のいずれかに記載の無線局。
【請求項３９】
前記要求手段は、前記要求を、当該要求を示すメッセージと、前記第２のセルにおける前記測定情報の取得に関する第２の設定情報の通知メッセージの少なくともいずれか一方のメッセージの送信で行う
請求項３８に記載の無線局。
【請求項４０】
前記無線端末から、前記要求を受けたことの報告を受信し、
当該無線端末に、前記第２のセルにおいて前記測定情報の取得を行う指示、又は、前記第２の設定情報の通知を行う
請求項３９に記載の無線局。
【請求項４１】
前記第１の設定情報、又は、第２の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む
請求項３５から請求項４０のいずれかに記載の無線局。
【請求項４２】
無線局が、無線基地局又は基地局制御局である
請求項３５から請求項４１のいずれかに記載の無線局。
【請求項４３】
無線端末に、アイドル状態の間に測定情報を取得させ、アクティブ状態の間に当該取得した測定情報を報告させるように無線局に対して指示を行うネットワーク装置であって、
前記無線端末が滞在する第１の無線アクセス技術の第１のセルを運用する無線局に、前記無線端末による前記第１のセルにおける前記測定情報の取得に関する第１の設定情報を通知する通知手段と、
前記第１の無線アクセス技術とは異なる第２の無線アクセス技術の第２のセルに移動後に第１のセルにおいて取得した前記測定情報に関する情報の報告を、前記無線端末に行わせるように、前記無線局に対して指示する指示手段と、
を有するネットワーク装置。
【請求項４４】
無線端末が、ネットワークが指定する測定情報を、アイドル状態の間に取得し、アクティブ状態の間に当該取得した測定情報を報告する情報収集方法であって、
第１の無線アクセス技術の第１のセルにおいて、前記無線端末に、前記第１のセルにおける前記測定情報の取得に関する第１の設定情報を通知し、
前記第１のセルにおいて、無線端末に、前記第１の無線アクセス技術とは異なる第２の無線アクセス技術の第２のセルに移動後に第１のセルにおいて取得した前記測定情報に関する情報の報告を行うように要求する
情報収集方法。
【請求項４５】
無線端末が、ネットワークが指定する測定情報を、アイドル状態の間に取得し、アクティブ状態の間に当該取得した測定情報を報告する情報収集方法であって、
第１の無線アクセス技術の第１のセルを運用する第１の無線局から、前記第１のセルにおける前記測定情報の取得に関する第１の設定情報と、
第１のセルにおいて取得した第１の測定情報に関する情報を、前記第１の無線アクセス技術とは異なる第２の無線アクセス技術の第２のセルに移動後に報告する指示を受信し、
前記指示に基づいて、前記第２のセルにおいて前記第１の測定情報に関する情報を前記第２のセルを運用する第２の無線局に報告する
情報収集方法。
【発明の詳細な説明】
【技術分野】
【０００１】
本発明は、無線通信システム、無線端末、無線局、ネットワーク装置、及び情報収集方法に関する。
【背景技術】
【０００２】
３ＧＰＰ（3rd Generation Partnership Project）では、オペレータによる走行試験(Drive-Test)にかかるオペレーションコスト（OPEX）を削減するため、走行試験で収集していた情報又はそれに類似した情報を無線端末に測定・報告させることが検討されている（非特許文献１）。この検討の最終目的は走行試験の実行を最小化することであり、これに関連する技術は総称してＭＤＴ(Minimization of Drive Test)と呼ばれている。ＭＤＴは、３ＧＰＰで規定されるセルラシステムであるＵＭＴＳ(Universal Mobile Telecommunication System)およびＬＴＥ(Long Term Evolution)の両方を適用対象としている。尚、ここで言う「測定」には、ある状況を「検出」する動作も含む。【０００３】
ＭＤＴでは、無線端末による測定情報の取得（つまり、測定及び、当該測定結果の記録）・報告方法について、以下の２つの方式が規定されている（非特許文献１）。
１．即時ＭＤＴ(Immediate MDT): 無線端末がアクティブ状態の間に測定情報の取得および報告をさせる方式。
２．ログＭＤＴ(Logged MDT): 無線端末がアイドル状態の間に測定情報の取得をさせ、取得した測定情報をアクティブ状態の間に報告させる方式。【０００４】
また、ＭＤＴの検討では、ネットワーク側で、どの無線端末に測定情報を取得・報告させるかを決定する事、つまりネットワーク主導の無線端末による測定情報取得・報告の制御を基本方針とし、非特許文献２では以下２つの方式が規定されている。
Ａ．マネジメントベース方式(Management based MDT): まずＭＤＴの測定情報の収集の対象となるエリアを指定し、当該エリアに滞在する無線端末から任意に選択する方式。エリアベース方式（Area based MDT）とも呼ばれる。
Ｂ．シグナリングベース方式(Signaling based MDT): 特定の無線端末を当該無線端末の個別識別子ＩＤ(Identity)を基に選択する方式。【０００５】
次に、図１を参照して、３ＧＰＰで検討されているＬＴＥにおけるマネジメントベース方式を用いた、ログMDTについて簡単に説明する。図１に示すように、ここで想定するＬＴＥのシステムは、無線端末ＵＥ（User Equipment）、無線基地局ｅＮＢ(evolved NodeB)、無線端末の移動管理装置ＭＭＥ(Mobility Management Entity)／ホーム加入者管理サーバＨＳＳ(Home Subscriber Server)などを含むネットワーク装置EPC（Evolved Packet Core）、ネットワーク運用管理装置ＥＭ(Element Manager)（EMS: Element Management Systemとも呼ぶ）、及びトレース情報収集装置ＴＣＥ(Trace Collection Entity)から構成される。そして、図１においてマネジメントベース方式を用いたログMDTは、以下のステップにより実行される。尚、図１において、ＵＥは、ステップS１００１の開始時に、ＲＲＣ（Radio Resource Control）＿Ｃｏｎｎｅｃｔｅｄ状態（アクティブモード）であるものとする。【０００６】
ステップＳ１００１：ＵＥは、無線アクセスに関する端末能力情報（UE Capability Information）を接続中のｅＮＢに通知する。このとき、ログＭＤＴの機能をサポートしていること(logged Measurements Idle)も一緒に通知する。【０００７】
ステップＳ１００２：ＥＭ（Ｓ）は、マネジメントベースのログMDTを実行するようにｅＮＢに要求（Trace Activation Request）を行う。当該指示には、ログＭＤＴを実行する為に必要な設定情報も含まれる。【０００８】
ステップＳ１００３：ｅＮＢは、ＥＭ（Ｓ）からの要求と、ＵＥの端末能力情報を基にログＭＤＴを実行させるＵＥを選択する（UE selection）。尚、図示していないが、ｅＮＢは事前に当該ＵＥの詳細位置情報（例えばＧＰＳ位置情報）の報告に関する同意情報（user consent）をＥＰＣ（に含まれるＭＭＥ）から取得しておく。詳細位置情報の報告が必要な場合には、同意している（consent）ＵＥを選択し、必要でない場合には同意していない（unconsent）ＵＥを選択しても良い。【０００９】
ステップＳ１００４：ｅＮＢは、当該ＵＥに対し、ログＭＤＴの実行に必要な設定情報を通知する（Logged Measurement Configuration）。尚、この通知が、ログＭＤＴの実行の指示にもなる。【００１０】
ステップＳ１００５：ｅＮＢは、当該ＵＥをＲＲＣ＿Ｉｄｌｅ状態（アイドルモード）に遷移させる（RRC Connection Release）。【００１１】
ステップＳ１００６：ＵＥは、ＲＲＣ＿Ｉｄｌｅ状態へと遷移する（RRC Connection Release）。【００１２】
ステップＳ１００７：ＵＥは、所定タイミングで自セル（serving cell）や隣接セル（neighbouring cell）の信号に対する測定（Measurement）を行う。ここで、測定項目としては、既知信号（Reference Signal: RS）の受信電力（Reference Signal Received Power: RSRP）や受信品質（Reference Signal Received Quality: RSRQ）が考えられる。尚、当該測定は、ログＭＤＴの為の付加的なものではなく、セル再選択などの為に行われるものである。【００１３】
ステップＳ１００８：ＵＥは、ログＭＤＴの設定情報で指定される記録タイミングで測定結果（RSRPやRSRQ）などを記録（log）する。尚、本明細書では特に断りが無い限り、簡単の為、ステップＳ１００７とＳ１００８の動作を合わせて（或は、少なくともこれら２つの動作を含むものを）単に「測定結果の記録（Log measurement results）」と呼ぶ。【００１４】
ステップＳ１００９：ＵＥは、所定のトリガに応じてＲＲＣ＿Ｃｏｎｎｅｃｔｅｄ状態になる為、ＲＲＣ接続要求（RRC Connection Request）を行う。【００１５】
ステップＳ１０１０：ｅＮＢは、ＲＲＣ接続要求を受け入れ、必要な情報を通知する（RRC Connection Setup）。【００１６】
ステップＳ１０１１：ＵＥは、ＲＲＣ接続確立の確認メッセージを送信する（RRC Connection Setup Complete）。ステップＳ１００９〜Ｓ１０１１までの一連の動作により、ＲＲＣ接続が確立される（RRC Connection Establishment）。ここで、ログＭＤＴで測定結果の記録（ログ）を保有しているＵＥは、当該ログを保有していることを示す情報（logMeasAvailable）を付加してメッセージを送信する。【００１７】
ステップＳ１０１２：ｅＮＢは、ログを保有していることを通知された場合、ログ報告の要求を行う（UE Information Request (logMeasReportReq)）。【００１８】
ステップＳ１０１３：ＵＥは、ログ報告の要求に応じて、ログを報告する（UE Information Response (LogMeasReport)）。【００１９】
ステップＳ１０１４：ｅＮＢは、報告されたログを、ＴＣＥへ転送する（Trace Recording Report）。
以上の動作により、マネジメントベース方式のログＭＤＴが実現される。【００２０】
尚、ログＭＤＴでは、ＵＥが、ログＭＤＴの設定情報を受信した（すなわち、ログＭＤＴの実行を要求された）セルから、別のセルに移動した場合でも、移動先のセルが所定条件を満たす場合には継続される。ここで言う所定条件とは、例えば、ログＭＤＴの設定情報を受信したセルと同じ無線アクセス技術（Radio Access Technology: RAT）のセルである、ログＭＤＴの設定情報を受信したセルと同じＰＬＭＮ  Ｉd（Public Land Mobile Network Identity）に属するセルである、設定情報で指定されたグローバルセルＩd（EUTRAN Cell Global Identifier: ECGI）やトラッキングエリア（Tracking Area: TA）に属するセルである、などがある。【００２１】
一方、移動先のセルがこれら所定条件を満たさない場合、例えば図２に示すように異なるＲＡＴ、つまり異種システムのセルに移動した場合（Ｓ１１０５： Cell reselection to UMTS cell）、ＵＥはログＭＤＴを中断する（Ｓ１１０６： Stop logging measurement results）。このとき、当該セルにおいて位置登録の更新などの為（Ｓ１１１０： Location Update）にＲＲＣ＿Ｃｏｎｎｅｃｔｅｄ状態になったとしても（Ｓ１１０９： RRC Connection Setup Complete）、ログ報告は行わない。一方、再び所定条件を満たすセルに移動した場合、ＵＥはログＭＤＴを再開する。尚、所定条件を満たさないセルに移動後、当該セルにおいてログＭＤＴの設定情報を新たに受信した（つまり、ログＭＤＴの実行を要求された）場合、保持していたログＭＤＴの設定情報やログは上書き（或は、破棄）される。
【先行技術文献】
【非特許文献】
【００２２】
【非特許文献１】3GPP TS37.320v10.0.0 (<URL> http:www.3gpp.org/ftp/Specs/html-info/37320.htm)
【非特許文献２】3GPP TS32.422v10.4.0 (<URL> http:www.3gpp.org/ftp/Specs/html-info/32422.htm)
【発明の概要】
【発明が解決しようとする課題】
【００２３】
以下に本発明による関連技術の分析を与える。【００２４】
上述したログＭＤＴにおいて、あるＵＥがＲＡＴ−ＡのセルにおいてログＭＤＴの設定情報を受信し（つまり、ログＭＤＴの実行を要求され）、ＲＡＴ−Ａのセルにおいてログを取得した後、異なるＲＡＴ−Ｂのセルに移動する場合を考える。【００２５】
当該ＵＥは、ＲＡＴ−Ｂのセルに移動すると、位置登録を行う為にＲＲＣ＿Ｃｏｎｎｅｃｔｅｄ状態（アクティブモード）になり、ログＭＤＴを中断する。このとき、当該ＵＥにＲＡＴ−Ｂのセルに移動した直後（例えば、位置登録手順終了後）から、継続してログＭＤＴで測定情報を取得させるために、ＲＡＴ−ＢにおけるログＭＤＴの設定情報をＵＥに新たに通知することが考えられる。しかし、これを実現するには、新たにログＭＤＴの設定情報を通知する事になり、ＲＡＴ−Ａのセルにおいて受信した設定情報や取得したログは上書き（或は、破棄）されてしまう。【００２６】
このように、ログＭＤＴでは、異種ＲＡＴ間セル再選択時に、セル再選択後も測定情報を継続的に取得することができない。しかし、走行試験において、ＵＥが異なるＲＡＴ間を移動する地点の情報（例えば、受信品質など）は、異なるＲＡＴを考慮したセルのカバレッジ最適化などに重要な測定情報であり、ログＭＤＴでもＵＥが異種ＲＡＴ間セル再選択を行う際に継続的に測定情報を取得する機能は必要と考えられる。【００２７】
従って、解決すべき課題は、ある無線端末が異なるＲＡＴのセル間を移動する場合、特にセル再選択を行う場合に、当該無線端末に保有する測定情報を破棄させることなく、継続して測定情報の取得を行わせることである。
【課題を解決するための手段】
【００２８】
本発明は、無線端末が、ネットワークが指定する測定情報を、アイドル状態の間に取得し、アクティブ状態の間に当該取得した測定情報を報告する無線通信システムであって、第１の無線アクセス技術の第１のセルを運用する第１の無線局は、第１のセルにおいて、前記無線端末に、前記第１のセルにおける前記測定情報の取得に関する第１の設定情報の通知を行う通知手段と、前記第１の無線アクセス技術とは異なる第２の無線アクセス技術の第２のセルに移動後に前記第１のセルにおいて取得した前記測定情報に関する情報の報告を行うよう、前記無線端末に指示する指示手段とを有する無線通信システムである。【００２９】
本発明は、ネットワークが指定する測定情報を、アイドル状態の間に取得し、アクティブ状態の間に当該取得した測定情報を報告する無線端末であって、第１の無線アクセス技術の第１のセルを運用する第１の無線局から、前記第１のセルにおける前記測定情報の取得に関する第１の設定情報を受信し、前記第１のセルにおいて取得した前記測定情報に関する情報を、前記第１の無線アクセス技術とは異なる第２の無線アクセス技術の第２のセルに移動後に報告する指示を受信する手段と、前記指示に基づいて、前記第２のセルにおいて前記測定情報に関する情報を報告する報告手段とを有する無線端末である。【００３０】
本発明は、無線端末が、ネットワークが指定する測定情報を、アイドル状態の間に取得し、アクティブ状態の間に当該取得した測定情報を報告する無線通信システムにおける無線局であって、前記無線局は、第１の無線アクセス技術の第１のセルを運用する無線局であり、前記第１のセルの無線端末に、前記第１のセルにおける前記測定情報の取得に関する第１の設定情報の通知を行う通知手段と、前記第１の無線アクセス技術とは異なる第２の無線アクセス技術の第２のセルに移動後に前記第１のセルにおいて取得した前記測定情報に関する情報の報告を行うよう、前記無線端末に指示する指示手段とを有する無線局である。【００３１】
本発明は、無線端末に、アイドル状態の間に測定情報を取得させ、アクティブ状態の間に当該取得した測定情報を報告させるように無線局に対して指示を行うネットワーク装置であって、前記無線端末が滞在する第１の無線アクセス技術の第１のセルを運用する無線局に、前記無線端末による前記第１のセルにおける前記測定情報の取得に関する第１の設定情報を通知する通知手段と、前記第１の無線アクセス技術とは異なる第２の無線アクセス技術の第２のセルに移動後に第１のセルにおいて取得した前記測定情報に関する情報の報告を、前記無線端末に行わせるように、前記無線局に対して指示する指示手段とを有するネットワーク装置である。【００３２】
本発明は、無線端末が、ネットワークが指定する測定情報を、アイドル状態の間に取得し、アクティブ状態の間に当該取得した測定情報を報告する情報収集方法であって、第１の無線アクセス技術の第１のセルにおいて、前記無線端末に、前記第１のセルにおける前記測定情報の取得に関する第１の設定情報を通知し、前記第１のセルにおいて、無線端末に、前記第１の無線アクセス技術とは異なる第２の無線アクセス技術の第２のセルに移動後に第１のセルにおいて取得した前記測定情報に関する情報の報告を行うように要求する情報収集方法である。【００３３】
本発明は、無線端末が、ネットワークが指定する測定情報を、アイドル状態の間に取得し、アクティブ状態の間に当該取得した測定情報を報告する情報収集方法であって、第１の無線アクセス技術の第１のセルを運用する第１の無線局から、前記第１のセルにおける前記測定情報の取得に関する第１の設定情報と、第１のセルにおいて取得した第１の測定情報に関する情報を、前記第１の無線アクセス技術とは異なる第２の無線アクセス技術の第２のセルに移動後に報告する指示を受信し、前記指示に基づいて、前記第２のセルにおいて前記第１の測定情報に関する情報を前記第２のセルを運用する第２の無線局に報告する情報収集方法である。
【発明の効果】
【００３４】
本発明によれば、異種ＲＡＴ間セル再選択を行う場合でも、無線端末に保有する測定情報を破棄させることなく、継続して測定情報の取得を実現することができる。
【図面の簡単な説明】
【００３５】
【図１】図１は本発明に関連するログＭＤＴの無線ネットワーク及び無線端末の動作を示すシーケンス図である。
【図２】図２は本発明に関連するログＭＤＴの無線ネットワーク及び無線端末の動作を示す別のシーケンス図である。
【図３】図３は本発明の第１の実施形態の無線通信システムの構成を示す図である。
【図４】図４は本発明の無線局のブロック図である。
【図５】図５は本発明の無線端末のブロック図である。
【図６】図６は本発明の第１の実施例の無線局及び無線端末の動作を示すシーケンス図である。
【図７】図７は本発明の第２の実施例の無線局及び無線端末の動作を示すシーケンス図である。
【図８】図８は、本発明の第２の実施例の第１の変形例における無線局と無線端末の動作を示すシーケンス図である。
【図９】図９は本発明の第２の実施例の第２の変形例における無線局と無線端末の動作を示すシーケンス図である。
【図１０】図１０は、第３の実施例における無線局と無線端末の動作を示すシーケンス図である。
【図１１】図１１は第４の実施例における無線局と無線端末の動作を示すシーケンス図である。
【図１２】図１２は本発明の第２の実施形態の無線通信システムの構成を示す図である。
【図１３】図１３はＬＴＥのセルで報告する場合のフォーマットの一例を示した図である。
【図１４】図１４は第５の実施例における無線局と無線端末の動作を示すシーケンス図である。
【図１５】図１５は第５の実施例における無線端末ＵＥの動作のフローチャートである。
【図１６】図１６は第６の実施例における無線局と無線端末の動作を示すシーケンス図である。
【図１７】図１７は第７の実施例における無線局と無線端末の動作を示すシーケンス図である。
【図１８】図１８は第８の実施例における無線ネットワークと無線端末の動作を示すシーケンス図である。
【図１９】図１９は第８の実施例の変形例における無線ネットワークと無線端末の動作を示すシーケンス図である。
【図２０】図２０は第９の実施例における無線ネットワークと無線端末の動作を示すシーケンス図である。
【図２１】図２１は第９の実施例の変形例における無線ネットワークと無線端末の動作を示すシーケンス図である。
【発明を実施するための形態】
【００３６】
＜発明の原理＞
本発明の基本原理は、第１の無線アクセス技術（Radio Access Technology: RAT）の第１のセルを運用する第１の無線局が、第１のセルにおいて、無線端末に、アイドル状態（アイドルモード、非通信状態、或は、非接続状態とも呼ぶ）の間の第１のセルにおける測定情報（第１の測定情報）の取得（つまり、測定、及び測定結果の記録）に関する第１の設定情報を通知し、更に、第２の無線アクセス技術の第２のセルに移動後、第１のセルにおいて取得した測定情報に関する情報を、第２の無線アクセス技術（ＲＡＴ）の第２の無線局に報告するように指示することである。
【００３７】
ここで、取得した測定情報に関する情報の報告は、測定情報の保有の有無に関する情報、この測定情報の保有している場合の測定情報の報告、更には、測定情報の保有している場合に、測定情報の保有の有無に関する情報の報告を省略し、直接その測定情報を報告する場合を含む概念である。
【００３８】
当該指示を受けた無線端末は、例えば、第１のセルから第２のセルに移動した後、第１のセルにおいて測定情報（つまり、第１の測定情報）を取得していた場合、当該第１の測定情報を保有していることを第２の無線局に報告する。
【００３９】
第２の無線局は、当該第１の測定情報を収集する場合、無線端末に実際に当該第１の測定情報を報告するように指示を出し、無線端末は当該第１の測定情報を報告する。尚、第１の無線局が無線端末に行う第２のセルにおける第１の測定情報の報告の指示は、所定のメッセージにより通知されてもよい。また、第１の設定情報の通知が当該指示の意味を持つように予め無線局と無線端末の間で認識あわせを行う、或は、仕様に規定するようにしても良い。
【００４０】
また、無線端末が当該第１の測定情報を保有していることの報告や第２の無線局からの当該指示を省略し、無線端末が第２の無線局に当該第１の測定情報を報告するようにしても良い。ここで、無線端末が第１のセルから第２のセルに移動した後の第１の測定情報を保有していることの報告、及び／又は、第１の測定情報の報告は、無線端末がアクティブ状態（アクティブモード、通信状態、或は、接続状態とも呼ぶ）の間に行う。実行するタイミングとしては、例えば異なる無線アクセス技術（ＲＡＴ）のセル間の移動による位置登録の更新（つまり、位置再登録）のステップに関連させて行う方法や、位置登録の更新が終了した後に行う方法が考えられるが、これに限定はされない。
【００４１】
さらに、本発明の別の基本原理を説明する。第１の無線局が、第１のセルにおいて、無線端末に、第１のセルから第２のセルに移動した際に、第２のセルにおいて測定情報（つまり、第２の測定情報）の取得（又は、取得及び報告）を行う要求する。当該無線端末は、第２のセルに移動後、第２の無線局に当該要求を受けた事の報告（要求受信の報告）、或は、第２の測定情報を取得する必要があるか否かの問い合わせ（例えば、第２の測定情報の取得要否の判定要求）、を行う。ここで、第１の無線局による当該第２の測定情報の取得の要求は、当該要求を示す情報（例えば、フラグや所定のメッセージ）の通知や、第２のセルにおける第２の測定情報の取得に関する第２の設定情報の通知、などで行う方法が考えられる。
【００４２】
また、無線端末は、第２のセルで第２の無線局に対して、上記要求受信の報告、或は、上記判定要求は、当該要求を受けたことを示す情報（例えば、フラグや所定のメッセージ）の通知や、（第１のセルで受信していた場合には）受信した第２の設定情報の報告、などで行う方法が考えられる。
【００４３】
また、第２の無線局が、当該無線端末に第２の測定情報を取得（及び報告）させる場合、無線端末に対して、第２の測定情報を取得（及び報告）させる指示を示す情報（例えば、フラグや所定のメッセージ）の通知や、第２の設定情報の通知を行う。尚、無線端末が既に第２の設定情報を保有している場合、第２の無線局は、第２の設定情報の一部のみを当該無線端末に通知するようにしても良い。
【００４４】
また、ここで言う移動とは、無線端末が物理的に自身の位置を移動するか否かによらず、第１（又は、第２）のセルから第２（又は、第１）のセルへと滞在するセルを変更することを意味する。さらに、第１の測定情報と第２の測定情報に含まれる情報の要素（つまり、測定項目）は同じであっても良いし、一部、或は、全て異なっても良い。
【００４５】
さらに、本発明の適用する条件として、第２のセルが、無線端末が滞在することが可能である（或は、許可されている）こと、或は、第２のセルが測定情報の取得（或は報告）の対象エリアに属していること、などが考えられる。しかし、これらに限定はされない。
【００４６】
ここで、測定情報の項目としては、例えば以下のものが考えられる。
【００４７】
・滞在セル及び隣接セルの既知信号の受信電力
・滞在セル及び隣接セルの既知信号の受信品質
・共通制御信号の受信失敗情報
・アクセス信号の送信失敗情報
・無線リンク失敗情報
・位置情報
尚、滞在セルは、サービングセル（Serving cell）又はキャンピングセル（Camping cell）とも呼ばれ、既知信号は、パイロット信号やリファレンス信号とも呼ばれる。受信品質としては、希望波（或は、希望信号）の信号電力対干渉信号電力比（Signal power to Interference power Ratio: SIR）や、信号電力対干渉及び雑音電力比（Signal power to Interference and Noise power Ratio: SINR）などがあるが、これに限定されない。
【００４８】
また、共通制御信号の受信失敗情報は、報知されるシステム情報や、ページング情報の受信失敗に関する情報で、アクセス信号の失敗情報は、無線端末が無線局との無線リンク確立の為などに使用するランダムアクセス信号などの送信に失敗した情報に相当する。無線リンク失敗情報は、無線端末が無線局との間で確立していた無線リンクが意図せず切断された（つまり、無線リンクが保てない状態になった）ことに関する情報であり、この状況を一般にＲＬＦ（Radio Link Failure）と呼ぶ。
【００４９】
さらに、位置情報は、無線端末が当該測定情報の記録を行う時点で保有している無線端末自身の滞在場所に関する情報で、例えばＧＰＳ（Global Positioning System）に代表されるＧＮＳＳ（Global Navigation Satellite System）で取得した位置情報や、無線基地局等の複数の無線局からの信号の受信タイミングの差で位置を特定するＯＴＤＯＡ（Observation Time Difference Of Arrival）方式で算出した位置情報などが考えられる。
【００５０】
設定情報としては、例えば以下のものが考えられる。
【００５１】
・測定情報の記録開始の基準となる絶対時刻
・測定情報の記録期間
・測定情報の記録周期
・測定情報の記録対象エリア
・トレース関連情報
尚、測定項目情報は、上述の測定情報の項目を示す情報である。記録期間及び記録周期は、測定結果を記録すべき期間及び測定結果を記録する周期である。
【００５２】
一方、第１の無線局による、無線端末が第１のセルから第２のセルに移動した後に、第１のセルにおいて取得した第１の測定情報の報告を行う要求としては、例えば以下の３つの方法が考えられる。
【００５３】
１）  第２のセルにおける第１の測定情報の報告を指示する情報（例えば、フラグや所定メッセージ）を通知する
２）  第２のセルにおける測定情報の取得（或は、取得及び報告）に関する第２の設定情報を通知する
３）  第２のセルにおける測定情報の取得（或は、取得及び報告）の継続を指示する情報を通知する
方法２）または方法３）を用いる場合、無線端末は、例えば、これらの通知が、第２のセルにおける第１の測定情報の報告も要求していることを、予め認識していればよい（例えば仕様に規定されている）。
【００５４】
次に、第１の無線局による、無線端末が第１のセルから第２のセルに移動した後に、第２のセルにおいて測定情報（第２の測定情報）の取得（及び報告）を行う要求としては、例えば以下の２つの方法が考えられる。
【００５５】
ａ）  第２のセルにおける測定情報の取得（或は、取得及び報告）に関する第２の設定情報を通知する
ｂ）  第２のセルにおける測定情報の取得（或は、取得及び報告）の継続を指示する情報を通知する
ここで、上述の方法２）又は方法３）と方法ａ）又は方法ｂ）は、それぞれ関連している。つまり、方法１）が用いられる場合に、第２の設定情報を通知された場合は、当該通知が、方法ａ）の意味を持ち、方法２）が用いられる場合には、当該通知が、方法２）のみ、或は、方法２）と方法ａ）の両方の意味を持つ。方法３）、方法ｂ）についても、同様である。
【００５６】
また、無線端末が、第１のセルにおいて第２のセルにおける測定情報の取得（及び報告）の為の第２の設定情報を受信し、第２のセルにおいて測定情報の取得（及び報告）を要求されていた場合の、第２のセルにおける当該要求の報告は、例えば以下の２つの方法にて行うことが考えられる。
【００５７】
Ａ）  第２のセルにおける設定情報を保有していることを示す情報の報告
Ｂ）  保有している（例えば、第１のセルで受信した）第２のセルにおける設定情報の報告
さらに、無線局が、無線端末から上述Ａ）又はＢ）の報告を受けた際に、当該無線端末に対して第２のセルにおいて測定情報の取得（及び報告）をさせる場合には、例えば以下の２つの方法にて指示を行うことが考えられる。
【００５８】
Ｃ）  第２のセルにおける測定情報取得の継続の指示
Ｄ）  第２のセルにおける設定情報の通知
ここで、上述の方法Ａ）及び方法Ｂ）は、それぞれ方法Ｃ）及び方法Ｄ）と対応させる方法でも良いし、方法Ａ）と方法Ｄ）、方法Ｂ）と方法Ｃ）など、いずれの組み合わせであっても良い。
【００５９】
尚、方法Ｂ）や方法Ｄ）における第２のセルにおける設定情報（つまり、第２の設定情報）は、第１の設定情報と同様の項目（又は、情報）を含んでいても良いし、第１の設定情報に含まれる項目（又は、情報）のうちの一部のみに対応する部分的なものでも良い。第１の設定情報に比べ情報量が不足している（第１の設定情報の部分的なものである）場合、無線端末は、第２の設定情報で不足している部分（例えば、第１の設定情報に比べ不足している部分）については、第１の設定情報のものを再利用する。ここで言う再利用とは、
・設定値等をそのまま引き継ぐ（又は、使用する）こと、
・タイマやカウンタ等の値を継続すること、
・測定項目情報等を第１のＲＡＴのものから第２のＲＡＴのものへと読み替える（又は、変換する）こと、
などの処理を指すことが考えられるが、これらに限定はされない。
【００６０】
さらに、無線端末が、測定情報の取得に関する情報の一部、例えば対象となる測定情報の項目（つまり、測定項目）などを予め保有している（或は、仕様で規定されている）場合においては、無線アクセス技術（ＲＡＴ）を切り替える際に、これらの情報を対応するＲＡＴのものへと切り替えることも考えられる。
【００６１】
以上に示した本発明を実施することで、異なる無線アクセス技術（RAT）のセル間を移動する際にも、無線端末が測定情報の報告を行うことができ、無線局及び無線局を管理する上位のネットワーク（又は、ネットワーク装置）において当該測定情報を収集することができる。
【００６２】
また、必要に応じて、当該無線端末に第２のセルにおいても継続して測定情報の取得をさせ、当該測定情報を収集することができる。これにより、異なるＲＡＴのセル間を無線端末が移動する地点或はその付近における電波環境（例えば、各ＲＡＴの受信電力や受信品質、ＲＡＴ間のセルの重なり度合いなどの相対関係等）を把握することができ、複数のＲＡＴのセルを考慮したカバレッジ最適化やモビリティ最適化などを実現することができる。
【００６３】
尚、第１の無線局と第２の無線局を区別して説明を行ったが、ある無線局が第１の無線アクセス技術（ＲＡＴ）と第２の無線アクセス技術（ＲＡＴ）の両方の機能を有していても良い。
【００６４】
また、無線局による無線端末への測定情報の取得に関する設定情報の通知（つまり、測定情報の取得の指示）は、無線局を管理する上位のネットワーク装置やネットワーク運用管理装置が当該無線局へ指示することにより行われることも考えられる。例えば、より具体的には、ネットワーク運用管理装置がネットワーク装置を介して、或は、直接に無線局に設定情報の通知を行うことが考えられる。
【００６５】
以下、本発明の実施の形態を説明する。
【００６６】
＜第１の実施形態＞
図３から図５を用いて本発明の第１の実施形態について説明する。
【００６７】
図３は、本発明の第１の実施形態における無線通信システムを示す図である。第１の実施形態における無線通信システムは、第１の無線アクセス技術RAT1（Radio Access Technology 1）の機能を有する第１の無線局１、第１の無線局が提供する第１のセル２、第２の無線アクセス技術ＲＡＴ２の機能を有する第２の無線局３、第２の無線局が提供する第２のセル４、及び、ＲＡＴ１とＲＡＴ２の両方の機能を有する無線端末５から構成される。尚、以下の説明において、第１の無線局１と第２の無線局３とを区別して説明するが、第１の無線局１又は第２の無線局３が第１の無線アクセス技術（ＲＡＴ）と第２の無線アクセス技術（ＲＡＴ）の両方の機能を有していても良い。
【００６８】
無線局１，３、無線端末５の機能ブロック図をそれぞれ図４、図５に示す。
【００６９】
図４において、無線局１，３は、無線端末５からの無線信号を受信する受信部（Receiver）１０、無線端末５や他のネットワークノード（Other Network Node）から受信した信号を復調する復調部（Demodulator）１１、無線端末毎に受信信号の品質等の測定を指示する測定制御部（Measurement control unit）１２、無線端末や他のネットワークへの信号を生成する信号生成部（Tx signal generator）１３、無線端末５へ無線信号を送信する送信部（Transmitter）１４、から構成される。
【００７０】
測定制御部１２は、さらに、ＲＡＴ１における測定制御を行う部分（RAT1 control part）１２１と、ＲＡＴ２における測定制御を行う部分（RAT2 control part）１２２に分けられる。
【００７１】
尚、無線局１，３としては、無線基地局や、当該無線基地局を管理する基地局制御局などが考えられる。
【００７２】
図５において、無線端末５は、無線局１，３からの無線信号を受信する受信部（Receiver）２０、受信した信号を復調する復調部（Demodulator）２１、受信信号の品質等の測定を行う測定部（Measurement unit）２２、無線局１，３への信号を生成する信号生成部（Tx signal generator）２３、無線局１，３へ無線信号を送信する送信部（Transmitter）２４、から構成される。
【００７３】
測定部２２は、さらに、測定に関する制御情報を保持する部分（Measurement configuration store part）２２１と、ＲＡＴ１における測定を行う部分（RAT1 measurement part）２２２と、ＲＡＴ２における測定を行う部分（RAT2 measurement part）２２３に分けられる。
【００７４】
尚、図４、図５に示した機能ブロックの構成は一例であり、本発明の適用は、これらの構成に限定はされない。
【００７５】
次に、上述した実施の形態に対応する実施例を説明する。
【００７６】
＜実施例１＞
本発明の第１の実施例について説明する。図６は、第１の実施例における無線局と無線端末の動作を示すシーケンス図である。第１の実施例では、第１の無線局が、無線端末に、第１のセルにおける測定情報（つまり、第１の測定情報）の取得（つまり、測定及び測定結果の記録）及び報告の指示と、第２のセルにおける第１の測定情報の報告の指示を行う。
【００７７】
ステップＳ１０１：  第１の無線局１は、無線端末５に、第１のセル２における設定情報（つまり、測定情報の取得・報告の指示）を通知する。また、第１の無線局１は、第２のセル４における第１のセル２で取得した測定情報（つまり、ログ）の報告の指示を行う。このとき、第１の無線局１は、少なくとも第１の設定情報を無線端末５に通知する。尚、これらの通知や指示は、同一のメッセージに多重して行っても良いし、異なるメッセージで行っても良い。
【００７８】
ステップＳ１０２：  無線端末５は、第１のセル２で測定情報（つまり、第１の測定情報）の取得を行う。
【００７９】
ステップＳ１０３：  無線端末５は、第２のセル４へ移動する。ここで言う移動とは、無線端末５が物理的に自身の位置を移動するか否かによらず、第１のセル２から第２のセル４へと滞在するセルを変更することを意味する。
【００８０】
ステップＳ１０４：  無線端末５の第１のセル２から第２のセル４への移動により、位置登録の更新が行われる。
【００８１】
ステップＳ１０５：  無線端末５は、第２のセル４で、第１のセル４で取得した第１の測定情報のログを第２の無線局３へ報告する。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、例えば、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報を当該ログに付加しても良い。
【００８２】
尚、第１の無線局が無線端末に行う第２のセルにおける第１の測定情報の報告の指示は、所定のメッセージにより通知されてもよい。また、第１の設定情報の通知が当該指示の意味を持つように予め無線局と無線端末の間で認識あわせを行う、或は、仕様に規定するようにしても良い。さらに、位置登録更新のステップと、第１のセルで取得したログの報告ステップは順番が逆でも良いし、一連の動作として同時或は並行して行っても良い。
【００８３】
以上のステップにより、無線端末が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【００８４】
＜実施例２＞
本発明の第２の実施例について説明する。
【００８５】
図７は、第２の実施例における無線局と無線端末の動作を示すシーケンス図である。第２の実施例では、第１の無線局が、無線端末に、第１のセルにおける測定情報（つまり、第１の測定情報）の取得（つまり、測定及び測定結果の記録）及び報告の指示と、第２のセルにおける第１の測定情報の報告の指示と、第２のセルにおける測定情報（つまり、第２の測定情報）の取得及び報告の指示を行う。そして、無線端末は、第１のセルから第２のセルに移動し、第1の測定情報を報告後、第２の無線局から第２の測定情報の取得（及び報告）を受けなくても、（例えば、自律的に）第２の測定情報の取得（及び報告）を行う。
【００８６】
ステップＳ２０１：  第１の無線局１は、無線端末５に、第１のセル２における設定情報の通知（つまり、測定情報の取得・報告の指示）と、第２のセル４における第１のセル２の測定情報（つまり、ログ）の報告の指示を通知する。また、第１の無線局１は、無線端末５に対して、a)  第２のセル４における設定情報の通知（つまり、測定情報の取得・報告の指示）、又は、b)  第２のセルにおける測定情報取得・報告の継続の指示を行う。
【００８７】
尚、これらの通知や指示は、同一のメッセージに多重して行っても良いし、異なるメッセージで行っても良い。
【００８８】
ステップＳ２０２：  無線端末５は、第１のセル２で測定情報（つまり、第１の測定情報）の取得を行う。
【００８９】
ステップＳ２０３：  無線端末５は、第２のセル４へ移動する。ここで言う移動とは、無線端末が物理的に自身の位置を移動するか否かによらず、第１のセル２から第２のセル４へと滞在するセルを変更することを意味する。尚、このとき、無線端末５は、第２のセル４における設定情報（つまり、第２の設定情報）を事前に受信していない場合、或は、第２の設定情報が第１のセル２における設定情報（つまり、第１の設定情報）に比べ部分的である（つまり、情報が不足している）場合、第１の設定情報を再利用する処理を実行する。
【００９０】
ステップＳ２０４：  無線端末５の第１のセル２から第２のセル４への移動により、位置登録の更新が行われる。
【００９１】
ステップＳ２０５：  無線端末５は、第２のセル４で、第１のセル４で取得した第１の測定情報のログ第２の無線局３へ報告する。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、例えば、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報をログに付加しても良い。
【００９２】
ステップＳ２０６：  無線端末５は、前記第１の設定情報、及び／又は、前記第２の設定情報を基に、第２のセル４で第２の測定情報を取得する。
【００９３】
尚、位置登録更新のステップと、第１のセルで取得したログの報告ステップは順番が逆でも良いし、一連の動作として同時或は並行して行っても良い。
【００９４】
以上のステップにより、無線端末が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【００９５】
＜実施例２の変形例１＞
図８は、本発明の第２の実施例の第１の変形例における無線局と無線端末の動作を示すシーケンス図である。第２の実施例との違いは、第１のセルにおいて取得した第１の測定情報を第２のセルにおいて報告する指示が第２の実施例のように当該指示を示す独立したメッセージ（又は、情報）で行われず、第２のセルにおける第２の測定情報の取得及び報告の指示が当該指示を兼ねている、或は、無線端末がそのように認識する点である。
【００９６】
ステップＳ２０７：  第１の無線局１は、無線端末５に、第１のセル２における設定情報の通知（つまり、測定情報の取得・報告の指示）を行う。また、第１の無線局１は、a)  第２のセル４における設定情報の通知（つまり、測定情報の取得・報告の指示）、又は、b)  第２のセルにおける測定情報取得・報告の継続の指示とを行う。このとき、第１の無線局１は、少なくとも第１の設定情報を無線端末５に通知する。尚、これらの通知や指示は、同一のメッセージに多重して行っても良いし、異なるメッセージで行っても良い。
【００９７】
ステップＳ２０２：  無線端末５は、第１のセル２で測定情報（つまり、第１の測定情報）の取得を行う。
【００９８】
ステップＳ２０３：  無線端末５は、第２のセル４へ移動する。ここで言う移動とは、無線端末が物理的に自身の位置を移動するか否かによらず、第１のセル２から第２のセル４へと滞在するセルを変更することを意味する。尚、このとき、無線端末５は、第２の設定情報を事前に受信していない場合、或は、第２の設定情報が第１の設定情報に比べ部分的である（つまり、情報が不足している）場合、第１の設定情報を再利用する処理を実行する。
【００９９】
ステップＳ２０４：  無線端末５の第１のセル２から第２のセル４への移動により、位置登録の更新が行われる。
【０１００】
ステップＳ２０５：  無線端末５は、第２のセル４で、第１のセル４で取得した第１の測定情報のログを第２の無線局３へ報告する。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、例えば、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報をログに付加しても良い。
【０１０１】
ステップＳ２０６：  無線端末５は、第２のセル４で第２の測定情報を取得する。
【０１０２】
以上のステップにより、無線端末が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１０３】
＜実施例２の変形例２＞
図９は、本発明の第２の実施例の第２の変形例における無線局と無線端末の動作を示すシーケンス図である。第２の実施例との違いは、第２のセルにおいて第２の測定情報の取得及び報告を指示された無線端末が再び第１のセルに移動した後に、当該第２の測定情報を第１のセルにて報告を行う点である。
【０１０４】
ステップＳ２０１：  第１の無線局１は、無線端末５に、第１のセル２における設定情報（つまり、取得・報告の指示）を通知する。また、第１の無線局１は、a)  第２のセル４における第１のセル２の測定情報（ログ）の報告の指示と、第２のセル４における設定情報（つまり、取得・報告の指示）、又は、b)  第２のセルにおける測定情報取得・報告の継続の指示とを行う。
【０１０５】
又は、
ステップＳ２０７：  第１の無線局１は、無線端末５に、第１のセル２における設定情報の通知（つまり、取得・報告の指示）を行う。また、第１の無線局１は、a)  第２のセル４における設定情報の通知（つまり、取得・報告の指示）、又は、b) 第２のセルにおける測定情報取得・報告の継続の指示を行う。尚、これらの通知や指示は、同一のメッセージに多重して行っても良いし、異なるメッセージで行っても良い。
【０１０６】
ステップＳ２１０：  無線端末５は、第１のセル２で測定情報（つまり、第１の測定情報）の取得を行う。
【０１０７】
ステップＳ２１１：  無線端末５は、第２のセル４へ移動する。ここで言う移動とは、無線端末が物理的に自身の位置を移動するか否かによらず、第１のセル２から第２のセル４へと滞在するセルを変更することを意味する。尚、このとき、無線端末５は、第２の設定情報を事前に受信していない場合、或は、第２の設定情報が第１の設定情報に比べ部分的である（つまり、情報が不足している）場合、第１の設定情報を再利用する処理を実行する。
【０１０８】
ステップＳ２１２：  無線端末５の第１のセル２から第２のセル４への移動により、位置登録の更新が行われる。
【０１０９】
ステップＳ２１３：  無線端末５は、第２のセル４で、第１のセル４で取得した第１の測定情報のログを第２の無線局３へ報告する。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、例えば、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報をログに付加しても良い。
【０１１０】
ステップＳ２１４：  無線端末５は、第２のセル４で第２の測定情報を取得する。
【０１１１】
ステップＳ２１５：  無線端末５は、再び、第１のセル２へ移動する。ここで言う移動とは、無線端末が物理的に自身の位置を移動するか否かによらず、第２のセル４から第１のセル２へと滞在するセルを変更することを意味する。尚、このとき、無線端末５は、第２の設定情報を事前に受信していない場合、或は、第２の設定情報が第１の設定情報に比べ部分的である（つまり、情報が不足している）場合、第１の設定情報を再利用する処理を実行する。
【０１１２】
ステップＳ２１６：  無線端末５の第２のセル４から第１のセル２への移動により、位置登録の更新が行われる。
【０１１３】
ステップＳ２１７：  無線端末５は、第１のセル２で、第２のセル４で取得した第１の測定情報のログを第１の無線局２へ報告する。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、例えば、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報をログに付加しても良い。
【０１１４】
以上のステップにより、無線端末が異なる無線アクセス技術（RAT）間を移動する際にも、継続的な測定情報の取得が実現できる。特に、無線端末が測定情報の取得及び報告の指示を受けたＲＡＴ（ＲＡＴ−Ａ）のセルから他のＲＡＴ（ＲＡＴ−Ｂ）のセルへ移動し、再びもとのＲＡＴ−Ａへ移動した（つまり、戻った）際にも、継続的に測定情報の収集が可能になる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１１５】
＜実施例３＞
本発明の第３の実施例について説明する。
【０１１６】
図１０は、第３の実施例における無線局と無線端末の動作を示すシーケンス図である。第３の実施例では、第１の無線局が、無線端末に、第１のセルにおける測定情報（つまり、第１の測定情報）の取得（つまり、測定及び測定結果の記録）及び報告の指示と、第２のセルにおける第１の測定情報の報告の指示と、第２のセルにおける測定情報（つまり、第２の測定情報）の取得及び報告の要求を行う（“第２のセルにおける設定情報”の送信）。無線端末は、第１のセルから第２のセルに移動した場合、第２の無線局に対して第1の測定情報の報告と、第１の無線局から第２の測定情報の取得（或は、取得及び報告）の要求を受けたことの報告を行う。無線端末は、例えば“Ａ）第２のセルにおける設定情報保有の報告”、又は、“Ｂ）第２のセルにおける設定情報の報告”の送信により、第２の測定情報の取得（或は、取得及び報告）の要求を受けたことを第２の無線局３に報告する。当該報告を受けた第２の無線局３は、当該無線端末に第２の測定情報を取得させるか否かを判定し、取得させる場合には、第２の測定情報の取得（及び報告）の指示を行う。第２の無線局３は、例えば、“C) 第２のセルにおける測定情報取得の継続の指示”、又は、“D) 第２のセルにおける設定情報”の送信により、第２の測定情報の取得（或は、取得及び報告）の指示を行う。無線端末は、第２の無線局から当該指示を受けた場合、第２のセルにおいて第２の測定情報の取得（及び報告）を行う。
【０１１７】
ステップＳ３０１：  第１の無線局１は、まず無線端末５に、第１のセル２における設定情報の通知（つまり、測定情報の取得・報告の指示）を行う。また、第１の無線局１は、第２のセル４における測定情報の通知（つまり、測定情報の取得・報告の指示）を行う。尚、これらの通知は、同一のメッセージに多重して行っても良いし、異なるメッセージで行っても良い。
【０１１８】
ステップＳ３０２：  無線端末５は、第１のセル２で測定情報（つまり、第１の測定情報）の取得を行う。
【０１１９】
ステップＳ３０３：  無線端末５は、第２のセル４へ移動する。ここで言う移動とは、無線端末５が物理的に自身の位置を移動するか否かによらず、第１のセル２から第２のセル４へと滞在するセルを変更することを意味する。尚、このとき、無線端末５は、第２の設定情報が第１の設定情報に比べ部分的である（つまり、情報が不足している）場合、第１の設定情報を再利用する処理を実行する。
【０１２０】
ステップＳ３０４：  無線端末５の第１のセル２から第２のセル４への移動により、位置登録の更新が行われる。
【０１２１】
ステップＳ３０５：  無線端末５は、第２のセル４で、第１のセル２で取得した第１の測定情報のログを、第２の無線局３に報告する。また、無線端末５は、A)  第２のセルにおける設定情報保有の報告、又は、B)  第２のセルにおける設定情報の報告を、第２の無線局３へ行う。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報をログに付加しても良い。
【０１２２】
ステップＳ３０６：  報告を受けた第２の無線局３は、無線端末５に第２の測定情報を取得させるか否かを判定する
ステップＳ３０７：  無線端末５に、第２の測定情報を取得させる場合には、第２の測定情報の取得（及び報告）の指示を行う。すなわち、無線端末５は、C)  第２のセルにおける測定情報取得の継続の指示、又は、D)  第２のセルにおける設定情報の送信を行う。
【０１２３】
ステップＳ３０８：  第２の無線局３から指示を受けた無線端末５は、第２のセル４で第２の測定情報を取得する。
【０１２４】
尚、位置登録更新のステップと、第１のセルで取得したログの報告ステップは順番が逆でも良いし、一連の動作として同時或は並行して行っても良い。
【０１２５】
以上のステップにより、無線端末が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１２６】
＜実施例４＞
本発明の第４の実施例について説明する。
【０１２７】
図１１は、第４の実施例における無線局と無線端末の動作を示すシーケンス図である。第４の実施例では、第１の無線局が、無線端末に、第１のセルにおける測定情報（つまり、第１の測定情報）の取得（つまり、測定及び測定結果の記録）及び報告の指示と、第２のセルにおける第１の測定情報の報告の指示と、第２のセルにおける測定情報（つまり、第２の測定情報）の取得及び報告の継続の要求を行う（“第２のセルにおける継続の要求”の送信）。無線端末は、第１のセルから第２のセルに移動した場合、第２の無線局に対して第1の測定情報の報告と、第１の無線局から第２の測定情報の取得（及び報告）の要求を受けたことの報告を行う（“第２のセルにおける継続の要求の報告”の送信）。当該報告を受けた第２の無線局は、当該無線端末に第２の測定情報を取得させるか否かを判定し、取得させる場合には、第２の測定情報の取得（及び報告）の指示を行う（“第２のセルにおける設定情報”の送信）。無線端末は、第２の無線局から当該指示を受けた場合、第２のセルにおいて第２の測定情報の取得（及び報告）を行う。
【０１２８】
ステップＳ４０１：  第１の無線局１は、無線端末５に、第１のセル２における設定情報の通知（つまり、測定情報の取得・報告の指示）を行う。また、第１の無線局１は、第２のセルにおける測定情報（つまり、第２の測定情報）の取得及び報告の継続の要求（“第２のセルにおける継続の要求”）を送信する。尚、これらの通知や要求は、同一のメッセージに多重して行っても良いし、異なるメッセージで行っても良い。
【０１２９】
ステップＳ４０２：  無線端末５は、第１のセル２で測定情報（つまり、第１の測定情報）の取得を行う。
【０１３０】
ステップＳ４０３：  無線端末５は、第２のセル４へ移動する。ここで言う移動とは、無線端末５が物理的に自身の位置を移動するか否かによらず、第１のセル２から第２のセル４へと滞在するセルを変更することを意味する。
【０１３１】
ステップＳ４０４：  無線端末５の第１のセル２から第２のセル４への移動により、位置登録の更新が行われる。
【０１３２】
ステップＳ４０５：  無線端末５は、第２のセル４で、第１のセル２で取得した第１の測定情報のログの報告と、第１の無線局１から第２の測定情報の取得（或は、取得及び報告）の要求を受けたことの報告（第２のセルにおける継続の要求の報告）を行う。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、例えば、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報をログに付加しても良い。
【０１３３】
ステップＳ４０６：  報告を受けた第２の無線局３は、無線端末５に第２の測定情報を取得させるか否かを判定する
ステップＳ４０７：  第２の無線局３は、無線端末５に、第２の測定情報を取得させる場合には、第２の測定情報の取得（及び報告）の指示を行う（第２のセルにおける設定情報の送信）。尚、このとき、無線端末５は、第２の設定情報が第１の設定情報に比べ部分的である（つまり、情報が不足している）場合、第１の設定情報を再利用する処理を実行する。
【０１３４】
ステップＳ４０８：  第２の無線局３から指示を受けた無線端末５は、第２のセル４で第２の測定情報を取得する。
【０１３５】
尚、位置登録更新のステップと、第１のセルで取得したログの報告ステップは順番が逆でも良いし、一連の動作として同時或は並行して行っても良い。
【０１３６】
以上のステップにより、無線端末が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１３７】
＜第２の実施形態＞
図１２を用いて本発明の第２の実施形態について説明する。ここでは、３ＧＰＰ  ＬＴＥ（Long Term Evolution）及びＵＭＴＳ（Universal Mobile Telecommunication System）のシステムを想定する。
【０１３８】
第２の実施形態における無線通信システムは、ネットワーク運用管理装置（Element Manager: EM。Element Management System: EMSとも呼ぶ）３０、トレース情報収集装置（Trace Collection Entity: TCE）３１、第１の無線アクセス技術（RAT）のＬＴＥの機能を有する第１の無線基地局（evolved Node B: eNB）３２、第１の無線基地局ｅＮＢが提供する第１のセル（LTE cell）３３、第２の無線アクセス技術のＵＭＴＳの機能を有する第２の基地局制御局（Radio Network Controller: RNC）／無線基地局（Node B: NB）３４、第２の基地局制御局ＲＮＣ／無線基地局ＮＢ３４が提供する第２のセル（UMTS cell）３５、及び、ＬＴＥとＵＭＴＳの両方の機能を有する無線端末（User Equipment: UE）３６から構成される。
【０１３９】
尚、基地局制御局ＲＮＣと基地局ＮＢとは、実際には異なるノードであり、所定のインタフェースを介して互いに接続されているが、本発明の実施形態においては簡単の為にまとめて記載する。また、図示していないが、ＬＴＥの無線ネットワーク構成としては、他に、無線端末ＵＥの移動管理装置 (Mobility Management Entity: MME)、サービングゲートウェイ（Serving Gateway: S-GW）、などのネットワーク装置を含むパケットコアネットワーク（Evolved Packet Core: EPC）から構成される。同様に、ＵＭＴＳの無線ネットワーク構成としては、他に、サービングＧＰＲＳ（General Packet Radio Service）サポートノード（Serving GPRS Support Node: SGSN）、移動（通信）交換局（Mobile Switching Centre: MSC）、などのネットワーク装置を含むコアネットワーク（Core Network: CN）から構成される。また、複数ＲＡＴ間に共通のネットワーク装置として、ホーム加入者管理サーバ（Home Subscriber Server: HSS）もある。さらに、本発明が、第１のＲＡＴがＵＭＴＳで、第２のＲＡＴがＬＴＥの場合でも適用できることは言うまでもない。
【０１４０】
また、無線端末ＵＥ３６による測定情報の取得及び報告の機能としては、３ＧＰＰ  ＬＴＥ及びＵＭＴＳで規定されている走行試験最小化機能（Minimization of Drive Test: MDT）の一つであるログＭＤＴ（Logged MDT）を想定する。Ｌｏｇｇｅｄ  ＭＤＴでは、無線端末ＵＥが、無線局（例えば、ＬＴＥの無線基地局ｅＮＢやＵＭＴＳの基地局制御局ＲＮＣ／基地局ＮＢ）から通知された設定情報（Logged Measurement Configuration）に従って、ＬＴＥのＲＲＣ（Radio Resource Control）＿Ｉｄｌｅ状態、ＵＭＴＳのＵＭＴＳ＿Ｉｄｌｅ状態、ＣＥＬＬ＿ＰＣＨ（Paging CHannel）状態、URA（UTRAN Registration Area）＿ＰＣＨ状態、のいずれかの状態において、測定情報の取得（測定、及び当該測定結果の記録）を行う。ここで、測定結果を記録したものをログと呼ぶ。尚、ログには、記録した時刻（又は、タイミング）を示す情報なども含まれる。
【０１４１】
一方、Ｌｏｇｇｅｄ  ＭＤＴにおける測定情報の項目としては、例えば以下のものがある。
ＬＴＥの場合；
・サービングセル（serving cell）及び隣接セル（neighbouring cell）のリファレンス信号（Reference Signal: RS）の受信電力（RS Received Power: RSRP）
・サービングセル（serving cell）及び隣接セル（neighbouring cell）のリファレンス信号（RS）の受信品質（RS Received Quality: RSRQ）
・共通制御信号（チャネル）の受信失敗情報（Paging Channel Failure、Broadcast Channel Failure）
・ランダムアクセス信号の送信失敗情報（Random Access Failure）
・無線リンク失敗ＲＬＦ（Radio Link Failure）情報
・位置情報
ここで、位置情報としては、ＧＰＳに代表されるＧＮＳＳで取得した詳細な位置情報や、ＯＴＤＯＡ等のネットワークベースの位置情報取得サービス（Location Service: LCS）で取得した詳細な位置情報がある。尚、詳細な位置情報が取得できなかった（保有していない）場合には、同一周波数の複数の隣接セルの物理セルＩＤ（Physical Cell Identity: PCI）と、当該隣接セルのリファレンス信号の受信電力（RSRP）を位置情報として記録する。これをＲＦ（Radio Frequency）  ｆｉｎｇｅｒｐｒｉｎｔとも呼ぶ。
同様に、ＵＭＴＳの場合；
・サービングセル（serving cell）及び隣接セル（neighbouring cell）のパイロット信号（Common Pilot Channel: CPICH）の受信電力（Received Signal Code Power: RSCP）
・サービングセル（serving cell）及び隣接セル（neighbouring cell）のパイロット信号（CPICH）の受信品質（Ratio of energy per modulating bit to the noise spectral density: Ec/No）
・共通制御信号（チャネル）の受信失敗情報（Paging Channel Failure、Broadcast Channel Failure）
・ランダムアクセス信号の送信失敗情報（Random Access Failure）
・無線リンク失敗ＲＬＦ（Radio Link Failure）情報
・位置情報
ここで、位置情報としては、ＬＴＥの場合と同じくＧＮＳＳやＬＣＳで取得した詳細な位置情報がある。また、詳細な位置情報が取得できなかった（或は、保有していない）場合には、同一周波数の複数の隣接セルの物理セルＩＤ（Primary Synchronization Code: PSC）と、当該隣接セルのパイロット信号の受信電力（RSCP）を位置情報として記録する。
【０１４２】
また、Ｌｏｇｇｅｄ  ＭＤＴの設定情報（Logged Measurement Configuration）には、例えば以下のものが含まれる。
【０１４３】
・測定情報（例えば、測定結果）の記録開始の基準となる絶対時刻（Absolute Time Info）、
・測定情報（例えば、測定結果）の記録期間（Logging Duration）
・測定情報（例えば、測定結果）の記録周期（Logging Interval）
・測定情報（例えば、測定結果）の記録対象エリア（Area Configuration）
・トレース関連情報（Trace Information）
ここで、記録対象エリアは、ＬＴＥの場合、グローバルセルＩＤ（EUTRAN Cell Global Identity: ECGI）又はトラッキングエリア（Tracking Area: TA）で示され、ＵＭＴＳの場合、グローバルセルＩＤ（Cell Global Identity: CGI）、ルーティングエリア（Routing Area: RA）、ロケーションエリア（Location Area: LA）のいずれかで示される。記録対象エリア（Area Configuration）が設定情報に含まれない場合には、当該設定情報を受信した際の公衆陸上移動通信網（Public Land Mobile Network: PLMN）のエリアに滞在している間に、記録を行う。
【０１４４】
尚、当該ＰＬＭＮと等価なＰＬＭＮ（equivalent PLMN: ePLMN）に滞在している間にも記録を行うようにしても良い。また、トレース関連情報は、無線端末ＵＥが測定情報を取得、報告するＭＤＴの実行を無線ネットワーク側で管理する為の情報で、Ｌｏｇｇｅｄ  ＭＤＴの際には無線端末ＵＥがログを報告する際に一緒に無線ネットワークに報告される。より具体的には、どの無線端末ＵＥによる、無線ネットワークがいつ指定したＭＤＴかを識別する為の所定の識別子（トレースリファレンスID： Trace Reference ID）や、無線端末ＵＥから報告されたログを収集するＴＣＥの情報（TCE IP AddressやTCE ID）などが含まれる。
【０１４５】
一方、第１のＲＡＴ（ＬＴＥ）の無線基地局ｅＮＢ３２が、無線端末ＵＥ３６に、第１のＲＡＴ（ＬＴＥ）の第１のセル（ＬＴＥセル）３３から、第２のＲＡＴ（ＵＭＴＳ）の第２のセル（ＵＭＴＳセル）３５に移動（例えば、セル再選択： Cell Reselectionやハンドオーバ：  Handover）後に、第１のセル（ＬＴＥセル）において取得した測定情報（測定結果を記録したログ）の報告を行う要求としては、例えば以下の２つの方法が考えられる。
【０１４６】
１）  第２のセル（ＵＭＴＳセル）における第１のセル（ＬＴＥセル）で取得した測定情報（つまり、ログ）の報告を指示する情報（例えば、フラグ等）を含むメッセージを通知する。
【０１４７】
２）  第２のセル（ＵＭＴＳセル）における第２のＬｏｇｇｅｄ  ＭＤＴの設定情報を含むメッセージを通知する。
【０１４８】
３）  第２のセル（ＵＭＴＳセル）におけるＬｏｇｇｅｄ  ＭＤＴの継続を指示する情報を含むメッセージを通知する。
【０１４９】
方法２）、または、方法３）を用いる場合、無線端末ＵＥは、これらの通知が、第２のセルにおける第１の測定情報の報告も要求していることを、予め認識している（例えば仕様に規定されている）必要がある。
【０１５０】
次に、第１のＲＡＴ（ＬＴＥ）の無線基地局ｅＮＢ３２による、無線端末ＵＥ３６が第１のセル（ＬＴＥセル）３３から第２のセル（ＵＭＴＳセル）３５に移動した後に、第２のセル（ＵＭＴＳセル）３５においてＬｏｇｇｅｄ  ＭＤＴによる測定情報（第２の測定情報）の取得（或は、取得及び報告）を行う要求としては、例えば以下の２つの方法が考えられる。
【０１５１】
ａ）  第２のセル（ＵＭＴＳセル）における第２のＬｏｇｇｅｄ  ＭＤＴの設定情報を含むメッセージを通知する。
【０１５２】
ｂ）  第２のセル（ＵＭＴＳセル）におけるＬｏｇｇｅｄ  ＭＤＴの継続を指示する情報を含むメッセージを通知する。
【０１５３】
ここで、上述の方法２）又は方法３）と、方法ａ）又は方法ｂ）とは、それぞれ関連している。つまり、方法１）が用いられる場合に、第２のＬｏｇｇｅｄ  ＭＤＴの設定情報を含むメッセージが通知された場合、当該メッセージが、方法ａ）の意味を持ち、方法２）が用いられる場合には、当該メッセージが、方法２）のみ、或は、方法２）と方法ａ）の両方の意味を持つ。方法３）、方法ｂ）についても、同様である。
【０１５４】
尚、Ｌｏｇｇｅｄ  ＭＤＴの継続とは、Ｌｏｇｇｅｄ  ＭＤＴによる測定情報の取得（例えば、測定結果の記録、つまりログ生成）と当該測定情報（つまり、ログ）の報告の両方を継続するようにしても良いし、測定情報の取得のみを継続するようにしても良い。また、後者の場合、無線端末ＵＥは、取得した測定情報（ログ）を、第１のＲＡＴ（ＬＴＥ）のセルに再び移動した（つまり、第１のＲＡＴ（ＬＴＥ）のセルに戻った）後に報告する。
【０１５５】
また、無線端末ＵＥが、第１のセル（ＬＴＥセル）において第２のセル（ＵＭＴＳセル）における測定情報の取得（及び報告）の為の第２のＬｏｇｇｅｄ  ＭＤＴの設定情報を受信し、第２のセル（ＵＭＴＳセル）において測定情報の取得（及び報告）を要求されていた場合の、第２のセル（ＵＭＴＳセル）における当該要求の報告は、例えば以下の２つの方法にて行うことが考えられる。
【０１５６】
Ａ）  第２のセル（ＵＭＴＳセル）におけるＬｏｇｇｅｄ  ＭＤＴの設定情報を保有していることを示す情報を含むメッセージの報告。
【０１５７】
Ｂ）  保有している（例えば、第１のセル（ＬＴＥセル）で受信した）第２のセル（ＵＭＴＳセル）におけるＬｏｇｇｅｄ  ＭＤＴの設定情報を含むメッセージの報告。
【０１５８】
さらに、無線基地局ｅＮＢ３２が、無線端末ＵＥ３６から上述Ａ）又はＢ）の報告を受けた際に、当該無線端末ＵＥ３６に対して第２のセル（ＵＭＴＳセル）３５においてＬｏｇｇｅｄ  ＭＤＴによる測定情報の取得（及び報告）をさせる場合には、例えば以下の２つの方法にて指示を行うことが考えられる。
【０１５９】
Ｃ）  第２のセル（ＵＭＴＳセル）３５におけるＬｏｇｇｅｄ ＭＤＴによる測定情報取得の継続の指示を含むメッセージの通知。
【０１６０】
Ｄ）  第２のセル（ＵＭＴＳセル）３５におけるＬｏｇｇｅｄ  ＭＤＴの設定情報を含むメッセージの通知。
【０１６１】
ここで、上述の方法Ａ）及び方法Ｂ）は、それぞれ方法Ｃ）及び方法Ｄ）と対応させる方法でも良いし、方法Ａ）と方法Ｄ）、方法Ｂ）と方法Ｃ）など、いずれの組み合わせであっても良い。
【０１６２】
尚、方法Ｂ）や方法Ｄ）における第２のセルにおけるＬｏｇｇｅｄ  ＭＤＴの設定情報（つまり、第２の設定情報）は、第１のセルにおけるＬｏｇｇｅｄ  ＭＤＴの設定情報（つまり、第１の設定情報）と同様の項目（又は、情報）を含んでいても良いし、第１の設定情報に含まれる項目（又は情報）のうちの一部のみに対応する部分的なものでも良い。第１の設定情報に比べ情報量が不足している（第１の設定情報の部分的なものである）場合、無線端末は、第２の設定情報で不足している部分（例えば、第１の設定情報に比べ不足している部分）については、第１の設定情報のものを再利用する。ここで言う再利用とは、
・絶対時刻、記録期間、記録周期、トレース関連情報等をそのまま引き継ぐ（又は、使用する）こと、
・記録期間や記録周期等を計測するタイマやカウンタ等の値を継続すること、
などの処理を指すことが考えられるが、これらに限定はされない。
【０１６３】
尚、３ＧＰＰのＬｏｇｇｅｄ  ＭＤＴでは、対象となる測定情報の項目（つまり、測定項目）がＲＡＴ毎に仕様に規定されている（LTEはRSRPとRSRQ、UMTSはRSCPとEc/No）。そこで、無線端末ＵＥは、異種ＲＡＴ間のセルの移動（例えば、セル再選択やハンドオーバ）を行ってＲＡＴを切り替える際に、当該測定情報の項目（つまり、測定項目）を切り替える処理も行う。
【０１６４】
ここで、異なるＲＡＴのセルへ移動した後のＬｏｇｇｅｄ  ＭＤＴの開始（つまり、ログ取得の開始）は、移動先のセルがＬｏｇｇｅｄ  ＭＤＴの対象エリアであることを認識（又は、検知）した後で行ってもよいし、当該認識（又は、検知）をする前に行っても良い。Ｌｏｇｇｅｄ  ＭＤＴの対象エリアであるか否かの判定は、例えば移動先のセルにおいて報知されるシステム情報（System Information）を受信し、当該セルがＬｏｇｇｅｄ ＭＤＴの対象ＰＬＭＮであるか否かを判定する方法が考えられる。同様に、ＬＴＥの場合にはグローバルセルＩＤやＴＡ、ＵＭＴＳの場合にはグローバルセルＩＤやＲＡやＬＡで判定をしても良い。
【０１６５】
一方、無線端末ＵＥが異なるＲＡＴのセルにおいてログを取得する場合、第１のＲＡＴ（ＬＴＥ）のセルにおけるログと、第２のＲＡＴ（ＵＭＴＳ）のセルにおけるログを識別できるように報告を行ってもよい。例えば、以下のような方法が考えられる。
【０１６６】
・ある時点で無線ネットワークから指示された一連のＬｏｇｇｅｄ  ＭＤＴの実行において、各ＲＡＴそれぞれの最初のログを取得する際に当該ＲＡＴを示す情報（例えば、フラグや識別子）を付加する方法
・Ｌｏｇｇｅｄ  ＭＤＴの実行の指示を受けた第１のＲＡＴから他の第２のＲＡＴへ移動した際に、移動先の第２のＲＡＴにおいて第１のＲＡＴで取得したログを報告する際に当該第１のＲＡＴを示す情報を付加する方法（さらに、これをＲＡＴ変更毎に繰り返す）
・ＲＡＴ毎に別の情報要素（Information Element）を規定する方法（図１３に、ＬＴＥのセルで報告する場合のフォーマットの一例を示す）
・ＲＡＴ毎に別のメモリを用意し、各メモリに保存されたログの中にＲＡＴを示す情報を付加する方法
また、ＲＡＴを示す情報を付加する場合には、ログ取得時の代わりに、報告時に行うようにしても良い。
【０１６７】
以上の本発明の第２の実施形態の説明では、第１のＲＡＴをＬＴＥ、第２のＲＡＴをＵＭＴＳとしたが、第１のＲＡＴをＵＭＴＳ、第２のＲＡＴをＬＴＥとした場合にも本発明が適用できることは言うまでもない。
【０１６８】
以下に、上述の第２の実施形態を前提とした場合の本発明のさらなる実施例について説明する。
【０１６９】
＜実施例５＞
本発明の第５の実施例について説明する。
【０１７０】
図１４は、第５の実施例における無線局と無線端末の動作を示すシーケンス図である。図１４では、第１の無線アクセス技術（RAT）の第１の無線局としてＬＴＥの無線基地局ｅＮＢ３２を、第２の無線アクセス技術（RAT）の第２の無線局としてＵＭＴＳの基地局制御局ＲＮＣ／基地局ＮＢを想定し、無線端末ＵＥが、まずＬＴＥのセルにＲＲＣ＿Ｃｏｎｎｅｃｔｅｄ状態で滞在している（つまり、当該セルを管理する無線基地局ｅＮＢに帰属している）ものとする。第５の実施例では、ＬＴＥの無線基地局ｅＮＢが、無線端末ＵＥに、第１のセルのＬＴＥセルにおけるＬｏｇｇｅｄ  ＭＤＴの実行、つまり第１の測定情報の取得（つまり、測定、測定結果の記録）及び生成したログの報告の指示と、第２のセルのＵＭＴＳセルにおける第１の測定情報、つまりＬＴＥセルで生成したログの報告の指示を行う。
【０１７１】
ステップＳ５０１：  無線基地局ｅＮＢ３２は、無線端末ＵＥ３６に、ＬＴＥのセルにおけるＬｏｇｇｅｄ  ＭＤＴ実行の指示となる第１の設定情報であるＬｏｇｇｅｄ  ＭＤＴ設定情報を送信する（Logged Measurement Configuration for LTE）。また、無線基地局ｅＮＢ３２は、無線端末ＵＥ３６に対して、ＬＴＥセル３３で生成したログの報告をＵＭＴＳのセル３５に移動後に行う指示（Inter-RAT Log Report Indication）する。尚、後者の当該指示は、予め無線基地局ｅＮＢと無線端末ＵＥの間で認識合わせができている、或は、仕様で規定されている場合には省略しても良い。
【０１７２】
ステップＳ５０２：  無線基地局ｅＮＢは、所定タイミングで、当該無線端末ＵＥをアイドル状態（RRC_Idle）へと遷す指示を行う（RRC Connection Release）。
【０１７３】
ステップＳ５０３：  無線端末ＵＥ３６は、ＲＲＣ接続を開放し、アイドル状態へと遷移する（RRC connection release (go to RRC_IDLE)）。
【０１７４】
ステップＳ５０４：  無線端末ＵＥ３６は、ＬＴＥのセル３３において測定情報の取得を行う（Log measurement results in LTE cell）。
【０１７５】
ステップＳ５０５：  無線端末ＵＥ３６は、所定のセル再選択トリガがかかると、ＬＴＥのセル３３からＵＭＴＳのセル３５へとセル再選択を行う（Cell reselection to UMTS cell）。
【０１７６】
ステップＳ５０６：  無線端末ＵＥ３６は、ＲＲＣ接続を確立する要求を基地局制御局ＲＮＣ／基地局ＮＢ３４に行う（RRC Connection Request）。
【０１７７】
ステップＳ５０７：  基地局制御局ＲＮＣ／基地局ＮＢ３４は、ＲＲＣ接続を確立する為の制御情報を無線端末ＵＥ３６に通知する（RRC Connection Setup）。
【０１７８】
ステップＳ５０８：  無線端末ＵＥ３６は、当該制御情報を基に、ＲＲＣ接続確立に必要な設定が完了したことを基地局制御局ＲＮＣ／基地局ＮＢ３４に報告する（RRC Connection Setup Complete）。このとき、ＬＴＥのセルで生成したログを保有している（利用可能である）ことを報告する（logMeasAvailable-LTE）。
【０１７９】
ステップＳ５０９：  基地局制御局ＲＮＣ／基地局ＮＢ３４は、当該ログ保有の報告などを基に、当該無線端末ＵＥ３６にＬＴＥセル３３で生成したログを報告させるか否かを判定する（Decision on inter-RAT log retrieval）。尚、図１４では報告させると判定した場合を示す。ここで、報告させるか否かの判定に用いる他の情報としては、無線端末ＵＥ３６の端末能力情報、上位ネットワーク（例えばＥＭ（Ｓ）やＣＮ）から異種ＲＡＴ間にまたがるＬｏｇｇｅｄ  ＭＤＴの実行の指示があるか（又は、あったか）否か、などが考えられる。
【０１８０】
ステップＳ５１０：  基地局制御局ＲＮＣ／基地局ＮＢ３４は、無線端末ＵＥ３６に、ＬＴＥセル３３で生成したログ報告の要求を行う（UE Information Request (logMeasReportReq-LTE)）。
【０１８１】
ステップＳ５１１：  無線端末ＵＥ３６は、ログ報告の要求に応じて、ログを報告する（UE Information Response (LogMeasReport-LTE)）。
【０１８２】
ステップＳ５１２：  無線端末ＵＥ３６は、コアネットワークＣＮ（例えば、ホーム加入者サーバＨＳＳ）と必要な情報を送受信し、位置登録更新を実行する（Location Update）。尚、位置登録更新に必要な情報の送受信は、ログ報告の前に行っても良いし、ログ報告と同時に行っても良い。
【０１８３】
以上のステップにより、無線端末ＵＥ３６が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１８４】
図１５に、第５の実施例における無線端末ＵＥの動作のフローチャートを示す。ここでは、初期状態として、無線端末ＵＥがＬＴＥのセルにＲＲＣ＿Ｃｏｎｎｅｃｔｅｄ状態で滞在している（つまり、サービングセルがＬＴＥセル）ものとする。
【０１８５】
無線端末ＵＥ３６は、無線基地局ｅＮＢ３２からＲＲＣ接続開放の指示を受信したかを判定する（Ｆ５０１：Receive RRC Connection Release msg?）。ＲＲＣ接続開放の指示を受信した場合（Ｆ５０１Ｙｅｓ）、ＲＲＣ接続を開放し（Ｆ５０２： RRC Connection Release）、ＬＴＥセル３３においてＬｏｇｇｅｄ ＭＤＴを実行する（Ｆ５０３： Execute Logged MDT in LTE cell）。無線端末ＵＥ３６は、所定タイミングでセル再選択を行う必要があるか否かを判定し（Ｆ５０４： Trigger Inter-RAT Cell Reselection?）、必要出ない場合（Ｆ５０４ No）、Ｌｏｇｇｅｄ  ＭＤＴを継続する。セル再選択を行う必要がある場合（Ｆ５０４  Ｙｅｓ）、セル再選択を実行する（Ｆ５０５： Perform Inter-RAT Cell Reselection）。
【０１８６】
無線端末ＵＥ３６は、ＲＲＣ接続を確立する要求を基地局制御局ＲＮＣ／基地局ＮＢ３４に行い（RRC Connection Request）、基地局制御局ＲＮＣ／基地局ＮＢ３４は、ＲＲＣ接続を確立する為の制御情報を無線端末ＵＥ３６に通知する（RRC Connection Setup）。そして、  無線端末ＵＥ３６は、当該制御情報を基に、ＲＲＣ接続確立に必要な設定が完了したことを基地局制御局ＲＮＣ／基地局ＮＢ３４に報告する（RRC Connection Setup Complete）（Ｆ５０６： Start RRC Connection Setup Procedure）。
【０１８７】
無線端末ＵＥ３６は、このとき、ＬＴＥのセルで生成したログを保有しているか（或は、利用可能であるか）を判定する（Ｆ５０６： Log in LTE cell available? ）。ログを保有していない（或は、利用可能でない）場合には、終了する（Ｆ５０６ No）。
【０１８８】
一方、ＬＴＥのセルで生成したログを保有している（或は、利用可能である）場合には（Ｆ５０６ Yes）、新規セルがＬｏｇｇｅｄ ＭＤＴの対象エリアか否かを判定する（Ｆ５０８： Still in MDT valid area?）し、対象エリアでない場合（Ｆ５０８  Ｎｏ）には、コアネットワークＣＮ（例えば、ホーム加入者サーバＨＳＳ）と必要な情報を送受信し、位置登録更新を実行する（Ｆ５１２： Location Update）。
【０１８９】
また、ＬＴＥのセルで生成したログを保有しており（或は、利用可能であり）、Ｌｏｇｇｅｄ ＭＤＴの対象エリアである場合には（Ｆ５０８ Yes）、ＬＴＥのセルで生成したログを保有している（或は、利用可能である）ことを報告する（Ｆ５０９： send logMeasAvailable-LTE）。
【０１９０】
無線端末ＵＥ３６は、ログ報告の要求を受信したか否かの判定を行う（Ｆ５１０：Receive logMeasReportReq?）。
【０１９１】
無線端末ＵＥ３６は、ログ報告の要求を受信した場合（Ｆ５１０ Yes）、ログを報告する（Ｆ５１１： Send LogMeasReport-LTE）。そして、Ｆ５１２に進む。
【０１９２】
＜実施例５の変形例＞
図１４に示した第５の実施例では、第１のＲＡＴであるＬＴＥの無線基地局ｅＮＢは、無線端末UEに、ＬＴＥセルで生成したログをＵＭＴＳのセルに移動後に報告させる指示（Inter-RAT Log Report Indication）を行っていた（或は、予め仕様に規定されていた）が、代わりに、
a) ＵＭＴＳにおけるＬｏｇｇｅｄ  ＭＤＴの設定情報を含むメッセージの通知（Logged Measurement Configuration for UMTS）
b) ＵＭＴＳにおけるＬｏｇｇｅｄ  ＭＤＴの継続の要求を含むメッセージの通知（Logging Continuation Request for UMTS）
など、他のメッセージにて指示を行うようにしても良い。
【０１９３】
＜実施例６＞
本発明の第６の実施例について説明する。
【０１９４】
図１５は、第６の実施例における無線局と無線端末の動作を示すシーケンス図である。まず初期状態は第５の実施例と同様である。第５の実施例との違いは、第６の実施例では、ＬＴＥの無線基地局ｅＮＢ３２が、無線端末ＵＥ３６に、ＬＴＥのセルにおけるＬｏｇｇｅｄ  ＭＤＴの指示、ＬＴＥセルで生成したログを保有したままＵＭＴＳセルに移動した場合にＵＭＴＳセルにて当該ログを報告する指示に加え、ＵＭＴＳセルに移動後にＬｏｇｇｅｄ  ＭＤＴを実行する要求を行う点である。
【０１９５】
ステップＳ６０１：  無線基地局ｅＮＢ３２は、無線端末ＵＥ３６に、ＬＴＥのセルにおけるＬｏｇｇｅｄ  ＭＤＴ実行の指示となる第１の設定情報であるＬｏｇｇｅｄ  ＭＤＴ設定情報の送信（Logged Measurement Configuration for LTE）する。また、無線基地局ｅＮＢ３２は、ＵＭＴＳのセルにおけるＬｏｇｇｅｄ  ＭＤＴ実行の要求となる第２の設定情報であるＬｏｇｇｅｄ  ＭＤＴ設定情報の送信（Logged Measurement Configuration for UMTS）を行う。尚、後者の異なるＲＡＴ（例えば、ここではＵＭＴＳ）のＬｏｇｇｅｄ  ＭＤＴ設定情報の送信は、自身のＲＡＴ、つまりＬＴＥのセルにおいて生成したログを保有したまま異なるＲＡＴつまりＵＭＴＳのセルに移動した場合、ＵＭＴＳのセルにおいて当該ＬＴＥのセルのログを報告する指示にもなる。
【０１９６】
ステップＳ６０２：  無線基地局ｅＮＢ３２は、所定タイミングで、当該無線端末ＵＥ３６をアイドル状態（RRC_Idle）へと遷す指示を行い、無線端末ＵＥ３６は、ＲＲＣ接続を開放し、アイドル状態へと遷移する（RRC Connection Release）。
【０１９７】
ステップＳ６０３：  無線端末ＵＥ３６は、ＬＴＥのセルにおいてＬｏｇｇｅｄ  ＭＤＴによる測定情報の取得を行う（Log measurement results in LTE cell）。
【０１９８】
ステップＳ６０４：  無線端末ＵＥ３６は、所定のセル再選択トリガがかかると、ＬＴＥのセルからＵＭＴＳのセルへとセル再選択を行う（Cell reselection to UMTS cell）。
【０１９９】
ステップＳ６０５：  無線端末ＵＥ３６及び無線基地局ｅＮＢ３２は、ＲＲＣ接続を確立し（RRC Connection Establishment）、無線端末ＵＥ３６は、ＬＴＥのセルで生成したログを保有している（或は、利用可能である）ことを報告する（Log Availability Indication）。
【０２００】
ステップＳ６０６：  基地局制御局ＲＮＣ／基地局ＮＢ３２は、当該ログ保有の報告などを基に、当該無線端末ＵＥにＬＴＥセルで生成したログを報告させるか否かを判定する（Decision on inter-RAT log retrieval）。尚、図１５では報告させると判定した場合を示す。ここで、報告させるか否かの判定に用いる他の情報としては、無線端末ＵＥの端末能力情報、上位ネットワーク（例えばＥＭ（Ｓ）やＣＮ）から異種ＲＡＴ間にまたがるＬｏｇｇｅｄ  ＭＤＴの実行の指示があるか（或は、あったか）否か、などが考えられる。
【０２０１】
ステップＳ６０７：  基地局制御局ＲＮＣ／基地局ＮＢ３２は、無線端末ＵＥ３６から、ＬＴＥセルで生成したログを収集し（Log Retrieval）、位置登録更新を実行する（Location Update）。
【０２０２】
ステップＳ６０８：  無線端末ＵＥ３６は、ＬＴＥの無線基地局ｅＮＢ３２から、ＵＭＴＳのセルにおけるＬｏｇｇｅｄ  ＭＤＴの実行の要求を受けたことを、以下の２つの方法のいずれかを用いて、ＵＭＴＳの基地局制御局ＲＮＣ／基地局ＮＢ３４に報告する。
【０２０３】
Ａ）  ＵＭＴＳセルにおいてＬｏｇｇｅｄ  ＭＤＴを継続する要求を受けたことの通知を含むメッセージの送信（Indication of Reception of Logging Continuation Request for UMTS）
Ｂ）  ＵＭＴＳセルにおけるＬｏｇｇｅｄ  ＭＤＴ設定情報に関する情報を含むメッセージの送信（Information on Received Logged Measurement Configuration for UMTS）
ステップＳ６０９：  基地局制御局ＲＮＣ／基地局ＮＢ３４は、ＵＭＴＳセルにおいてＬｏｇｇｅｄ  ＭＤＴを継続させるか否かを判定する（Decision on Logged MDT configuration）。ここで、Ｌｏｇｇｅｄ  ＭＤＴを継続させるか否かの判定は、例えば、上位ネットワーク（例えばＥＭ（Ｓ）やＣＮ）から異種ＲＡＴ間にまたがるＬｏｇｇｅｄ ＭＤＴの実行の指示があるか（又は、あったか）否か、当該ＲＡＴのセル（つまりＵＭＴＳセル）においてＬｏｇｇｅｄ  ＭＤＴの実行の指示があるか（又は、あったか）否か、などに基づいて行うことが考えられる。尚、図１５では報告させると判定した場合の例を示す。
【０２０４】
ステップＳ６１０：  基地局制御局ＲＮＣ／基地局ＮＢ３４は、以下の２つの方法のいずれかを用いて、無線端末ＵＥにＵＭＴＳセルにおけるＬｏｇｇｅｄ  ＭＤＴの実行（又は、継続）の指示を行う。
【０２０５】
Ｃ）  ＵＭＴＳセルにおけるＬｏｇｇｅｄ  ＭＤＴ継続の指示（例えばフラグ）を含むメッセージの通知（Indication of Logging Continuation in UMTS）
Ｄ）  ＵＭＴＳセルにおけるＬｏｇｇｅｄ  ＭＤＴ設定情報を含むメッセージの通知（Logged Measurement Configuration for UMTS）
尚、方法Ｄ）のＬｏｇｇｅｄ  ＭＤＴ設定情報は、無線端末ＵＥから通知されたものと同じでも良いし、異なっていても良い。また、通常のＬｏｇｇｅｄ  ＭＤＴ設定情報の一部のみの簡略化したものでも良い。
【０２０６】
ステップＳ６１１：  基地局制御局ＲＮＣ／基地局ｅＮＢ３４は、所定タイミングで、無線端末ＵＥ３６をアイドル状態（UMTS Idle）へと遷す指示を行い、無線端末ＵＥ３６は、ＲＲＣ接続を開放し、アイドル状態へと遷移する（RRC Connection Release）。
【０２０７】
ステップＳ６１２：  無線端末ＵＥ３６は、ＵＭＴＳのセルにおいてＬｏｇｇｅｄ  ＭＤＴによる測定情報の取得を行う（Log measurement results in UMTS cell）。
【０２０８】
尚、図１５には示していないが、ＵＭＴＳの場合、無線端末ＵＥ３６は、アイドル状態以外、例えば待ち受け状態（CELL_PCH、URA_PCH）でもＬｏｇｇｅｄ  ＭＤＴによる測定情報の取得を行う。また、ログ報告と位置登録更新のステップを一連の動作としてまとめて示したが、順序に関係なく別々のステップとして行っても良い。さらに、ログ報告や位置登録更新のステップと、ＵＭＴＳセルにおけるＬｏｇｇｅｄ  ＭＤＴの実行の要求を受けたことの報告のステップは、当該順序で、別々のステップとして示したが、これらが一連の動作であっても良いし、順序が一部逆になっても良い。
【０２０９】
以上のステップにより、無線端末ＵＥが異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０２１０】
＜実施例７＞
本発明の第７の実施例について説明する。
【０２１１】
図１７は、第７の実施例における無線局と無線端末の動作を示すシーケンス図である。まず初期状態は第５の実施例と同様である。第７の実施例では、第６の実施例と同様に、ＬＴＥの無線基地局ｅＮＢが、無線端末ＵＥに、ＬＴＥのセルにおけるＬｏｇｇｅｄ  ＭＤＴの指示、ＬＴＥセルで生成したログをＵＭＴＳセルに移動後に報告する指示に加え、ＵＭＴＳセルに移動後にＬｏｇｇｅｄ  ＭＤＴを実行する要求を行う。第６の実施例との違いは、ＵＭＴＳセルにおいてＬｏｇｇｅｄ  ＭＤＴを実行する要求の方法にある。
【０２１２】
ステップＳ７０１：  無線基地局ｅＮＢは、無線端末ＵＥに、ＬＴＥのセルにおけるＬｏｇｇｅｄ  ＭＤＴ実行の指示となる第１の設定情報であるＬｏｇｇｅｄ  ＭＤＴ設定情報の送信（Logged Measurement Configuration for LTE）する。また、無線基地局ｅＮＢは、ＵＭＴＳのセルにおけるＬｏｇｇｅｄ  ＭＤＴの継続（又は、実行）の要求メッセージを送信する（Logging Continuation Request for UMTS）。尚、後者の異なるＲＡＴ（例えば、ここではＵＭＴＳ）のＬｏｇｇｅｄ  ＭＤＴ設定情報の送信は、自身のＲＡＴ、つまりＬＴＥのセルにおいて生成したログを保有したまま異なるＲＡＴつまりＵＭＴＳのセルに移動した場合、ＵＭＴＳのセルにおいて当該ＬＴＥのセルのログを報告する指示にもなる。
【０２１３】
ステップＳ７０２：  無線基地局ｅＮＢ３２は、所定タイミングで、当該無線端末ＵＥ３６をアイドル状態（RRC_Idle）へと遷す指示を行い、無線端末ＵＥ３６は、ＲＲＣ接続を開放し、アイドル状態へと遷移する（RRC Connection Release）。
【０２１４】
ステップＳ７０３：  無線端末ＵＥ３６は、ＬＴＥのセルにおいてＬｏｇｇｅｄ  ＭＤＴによる測定情報の取得を行う（Log measurement results in LTE cell）。
【０２１５】
ステップＳ７０４：  無線端末ＵＥ３６は、所定のセル再選択トリガがかかると、ＬＴＥのセルからＵＭＴＳのセルへとセル再選択を行う（Cell reselection to UMTS cell）。
【０２１６】
ステップＳ７０５：  無線端末ＵＥ３６及び無線基地局ｅＮＢ３２は、ＲＲＣ接続を確立し（RRC Connection Establishment）、無線端末ＵＥ３６は、ＬＴＥのセルで生成したログを保有している（或は、利用可能である）ことを報告する（Log Availability Indication）。
【０２１７】
ステップＳ７０６：  基地局制御局ＲＮＣ／基地局ＮＢ３４は、当該ログ保有の報告などを基に、当該無線端末ＵＥ３６にＬＴＥセルで生成したログを報告させるか否かを判定する（Decision on inter-RAT log retrieval）。尚、図１６では報告させると判定した場合を示す。ここで、報告させるか否かの判定に用いる他の情報としては、無線端末ＵＥ３６の端末能力情報、上位ネットワーク（例えばＥＭ（Ｓ）やＣＮ）から異種ＲＡＴ間にまたがるＬｏｇｇｅｄ  ＭＤＴの実行の指示があるか（あったか）否か、などが考えられる。
【０２１８】
ステップＳ７０７：  基地局制御局ＲＮＣ／基地局ＮＢ３４は、無線端末ＵＥ３６から、ＬＴＥセルで生成したログを収集し（Log Retrieval）、位置登録更新を実行する（Location Update）。
【０２１９】
ステップＳ７０８：  無線端末ＵＥ３６は、ＬＴＥの無線基地局ｅＮＢ３２から、ＵＭＴＳのセルにおけるＬｏｇｇｅｄ  ＭＤＴの継続（又は実行）の要求を受けたことを、ＵＭＴＳの基地局制御局ＲＮＣ／基地局ＮＢ３４に報告する（Indication of Reception of Logging Continuation Request for UMTS）。
【０２２０】
ステップＳ７０９：  基地局制御局ＲＮＣ／基地局ＮＢ３４は、ＵＭＴＳセルにおいてＬｏｇｇｅｄ  ＭＤＴを継続させるか否かを判定する（Decision on Logged MDT configuration）。ここで、Ｌｏｇｇｅｄ  ＭＤＴを継続させるか否かの判定は、例えば、上位ネットワーク（例えばＥＭ（Ｓ）やＣＮ）から異種ＲＡＴ間にまたがるＬｏｇｇｅｄ ＭＤＴの実行の指示があるか（又は、あったか）否か、当該ＲＡＴのセル（つまりＵＭＴＳセル）においてＬｏｇｇｅｄ  ＭＤＴの実行の指示があるか（又は、あったか）否か、などに基づいて行うことが考えられる。尚、図１７では報告させると判定した場合の例を示す。
【０２２１】
ステップＳ７１０：  基地局制御局ＲＮＣ／基地局ＮＢ３４は、、無線端末ＵＥ３６に、ＵＭＴＳセルにおけるＬｏｇｇｅｄ  ＭＤＴ設定情報を含むメッセージを通知し（Logged Measurement Configuration for UMTS）、ＵＭＴＳセルにおけるＬｏｇｇｅｄ  ＭＤＴの実行の指示を行う。
【０２２２】
ステップＳ７１１：  基地局制御局ＲＮＣ／基地局ｅＮＢ３２は、所定タイミングで、無線端末ＵＥ３６をアイドル状態（UMTS Idle）へと遷す指示を行い、無線端末ＵＥ３６は、ＲＲＣ接続を開放し、アイドル状態へと遷移する（RRC Connection Release）。
【０２２３】
ステップＳ７１２：  無線端末ＵＥ３６は、ＵＭＴＳのセルにおいてＬｏｇｇｅｄ  ＭＤＴによる測定情報の取得を行う（Log measurement results in UMTS cell）。
【０２２４】
尚、図１７には示していないが、ＵＭＴＳの場合、無線端末ＵＥ３６は、アイドル状態以外、例えば待ち受け状態（CELL_PCH、URA_PCH）でもＬｏｇｇｅｄ  ＭＤＴによる測定情報の取得を行う。また、ログ報告と位置登録更新のステップを一連の動作としてまとめて示したが、順序に関係なく別々のステップとして行っても良い。さらに、ログ報告や位置登録更新のステップと、ＵＭＴＳセルにおけるＬｏｇｇｅｄ  ＭＤＴの継続（又は実行）の要求を受けたことの報告のステップは、当該順序で、別々のステップとして示したが、これらが一連の動作であっても良いし、順序が一部逆になっても良い。
【０２２５】
以上のステップにより、無線端末ＵＥが異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０２２６】
＜実施例８＞
本発明の第８の実施例について説明する。
【０２２７】
図１８は、第８の実施例における無線ネットワークと無線端末の動作を示すシーケンス図である。図１８では、ネットワーク運用管理装置ＥＭ（Ｓ）５０、ホーム加入者管理サーバＨＳＳ５１、第１の無線アクセス技術（ＲＡＴ）のＬＴＥのパケットコアネットワークＥＰＣ５２、無線基地局ｅＮＢ５３、第２のＲＡＴのＵＭＴＳのコアネットワークＣＮ５４、基地局制御局ＲＮＣ／基地局ＮＢ５５、無線端末ＵＥ５６、トレース情報収集装置ＴＣＥ５７から構成される無線通信システムを想定する。また、ＭＤＴの方式としては、マネジメントベース方式（Management based）（エリアベース方式（Area based）とも呼ばれる）のＬｏｇｇｅｄ  ＭＤＴを用いる。第８の実施例では、第６又は第７の実施例と同様に、ＬＴＥの無線基地局ｅＮＢが、無線端末ＵＥに、ＬＴＥのセルにおけるＬｏｇｇｅｄ  ＭＤＴの指示、ＬＴＥセルで生成したログを保有したままＵＭＴＳセルに移動した場合、ＵＭＴＳセルにて当該ログを報告する指示に加え、ＵＭＴＳセルに移動後にＬｏｇｇｅｄ  ＭＤＴを実行する要求を行う。尚、第６又は第７の実施例の他に、第５の実施例と同様の手法を実行する場合にも、容易に適用できることは言うまでもない。
【０２２８】
ステップＳ８０１：  無線端末ＵＥ４６は、無線基地局ｅＮＢ４３に自身の無線アクセスに関連する端末能力情報（UE Capability Information）で、Ｌｏｇｇｅｄ  ＭＤＴの機能（loggedMeasurementsIdle）をサポートしていることを通知する。尚、端末能力情報に、異なるＲＡＴのセルにまたがるＬｏｇｇｅｄ  ＭＤＴの実行（つまり、ＲＡＴ変更後の継続的なＬｏｇｇｅｄ  ＭＤＴの実行）を行う能力があること（或は、あるか否か）を示す情報（例えば、loggedMeasurementsIdle-InterRAT）を新たに規定しても良い。
【０２２９】
ステップＳ８０２：  ネットワーク運用管理装置ＥＭ（Ｓ）４０は、ＬＴＥの無線基地局ｅＮＢ４３、ＵＭＴＳの基地局制御局ＲＮＣ／基地局ＮＢ４４に、Ｌｏｇｇｅｄ  ＭＤＴによる複数ＲＡＴにまたがる端末測定情報収集（Ｉｎｔｅｒ−ＲＡＴ  Ｌｏｇｇｅｄ ＭＤＴ）の開始要求を出す（Trace Activation Request for Inter-RAT）。より具体的には、例えば、ネットワーク運用管理装置ＥＭ（Ｓ）が、無線基地局ｅＮＢや基地局制御局ＲＮＣ／基地局ＮＢが以下の動作を実行するように、無線基地局ｅＮＢや基地局制御局ＲＮＣ／基地局ＮＢに要求を出す。
【０２３０】
A）  ＲＡＴ−ＡでＬｏｇｇｅｄ  ＭＤＴを実行させる対象として選択した無線端末ＵＥに、ＲＡＴ−ＡにおけるＬｏｇｇｅｄ ＭＤＴの実行を指示する。
【０２３１】
B) 当該無線端末UEに、異なるＲＡＴ−Ｂに移動後にＲＡＴ−Ａで取得したログを報告させる。
【０２３２】
C) 当該無線基地局UEに、ＲＡＴ−Ｂにおいて引き続きＬｏｇｇｅｄ ＭＤＴの実行を要求する。
【０２３３】
ステップＳ８０３：  ホーム加入者管理サーバＨＳＳ４１は、ＬＴＥのパケットコアネットワークＥＰＣ４２及びＵＭＴＳのコアネットワークＣＮ４４を介し、それぞれの配下の無線基地局ｅＮＢ４３及び基地局制御局ＲＮＣ／基地局ＮＢ４５に、無線端末ＵＥ４６のＬｏｇｇｅｄ  ＭＤＴにおけるＧＰＳ等の詳細位置情報報告に関するユーザ同意情報（User Consent Information）を通知する。ここで、ユーザ同意情報は、例えば無線端末ＵＥが詳細位置情報報告に同意している場合には同意“Ｃｏｎｓｅｎｔ”、同意していない場合には“Ｕｎｃｏｎｓｅｎｔ”、などの情報が含まれる。
【０２３４】
ステップＳ８０４：  無線基地局ｅＮＢ４３は、ネットワーク運用管理装置ＥＭ（Ｓ）４０からの当該開始要求、無線端末ＵＥ４６の端末能力情報、ユーザ同意情報などを基に、Ｌｏｇｇｅｄ  ＭＤＴを実行させる無線端末ＵＥ４６を選択する（UE selection）。
【０２３５】
ステップＳ８０５：  無線基地局ｅＮＢ４３は、選択した無線端末ＵＥ４６に対して、ＬＴＥのセルにおける測定情報の取得・報告に加え、ＵＭＴＳのセルにおけるＬＴＥのセルで取得した測定情報の報告、及び、ＵＭＴＳのセルにおける測定情報の取得・報告の実行の要求となるメッセージの送信を行う（Logged Measurement Configuration for Inter-RAT）。ここで、当該メッセージは、ＬＴＥのセルにおける測定情報の取得・報告の指示となる第１の設定情報の送信（Logged Measurement Configuration for LTE）に加え、下記３つの方法のいずれかで行う。
【０２３６】
a) ＵＭＴＳのセルにおいて測定情報の取得・報告を行う要求（Logging continuation request for UMTS）の送信
b)  ＵＭＴＳのセルのおける測定情報の取得に必要な第２の設定情報の送信（Logged Measurement Configuration for UMTS）
c) a)又はb)と、ＵＭＴＳのセルにおけるＬＴＥのセルで取得した測定情報の報告を指示する情報を含むメッセージ（Inter-RAT Log Report Indication）を送信
ステップＳ８０６：  無線基地局ｅＮＢ４３は、所定タイミングで、当該無線端末ＵＥ４６をアイドル状態（RRC_Idle）へと遷す指示を行う（RRC Connection Release）。
【０２３７】
ステップＳ８０７：  無線端末ＵＥ４６は、ＬＴＥのセルにおいて測定情報の取得を行う（Log measurement results）。
【０２３８】
ステップＳ８０８：  無線端末ＵＥ４６は、所定のセル再選択トリガがかかると、ＬＴＥのセルからＵＭＴＳのセルへとセル再選択を行う（Cell reselection to UMTS cell）。
【０２３９】
ステップＳ８０９：  無線端末ＵＥ４６は、所定のＲＲＣ接続確立トリガがかかると、基地局制御局ＲＮＣ／基地局ＮＢ４５とＲＲＣ接続を確立し、保有しているログを報告する（RRC Connection Establishment and Log Retrieval）。このとき、無線端末ＵＥ４６は、ＬＴＥのセルにおいて取得したログと、ＵＭＴＳのセルにおいて取得したログを識別できる情報を付加して報告する。
【０２４０】
ステップＳ８１０：  基地局制御局ＲＮＣ／基地局ＮＢ４５は、無線端末ＵＥ４６から収集したログをトレース情報収集装置ＴＣＥ４７へ転送する（Trace Record Reporting）。
【０２４１】
ステップＳ８１１：  基地局制御局ＲＮＣ／基地局ＮＢ４５は、位置登録更新を実行する（Location Update）。
【０２４２】
ステップＳ８１２：  無線端末ＵＥ４６は、ＬＴＥの無線基地局ｅＮＢから、ＵＭＴＳのセルにおいてＬｏｇｇｅｄ  ＭＤＴを実行する要求を受けていたことを基地局制御局ＲＮＣ／基地局ＮＢ４４に報告するメッセージを送信し、基地局制御局ＲＮＣ／基地局ＮＢ４４は、当該無線端末ＵＥ４６にＬｏｇｇｅｄ  ＭＤＴを実行させるかを判定し、実行させる場合には、Ｌｏｇｇｅｄ  ＭＤＴの実行を指示するメッセージを送信し、ＵＭＴＳのセルのおける測定情報の取得（及び報告）を継続させる（Logging  Continuation Configuration）。
【０２４３】
ここで、無線端末ＵＥ４６による当該メッセージの送信は、例えば以下の２つの方法のいずれかで行う。
【０２４４】
Ａ）  ＵＭＴＳセルにおけるＬｏｇｇｅｄ  ＭＤＴの設定情報を保有していることを示す情報を含むメッセージの報告
Ｂ）  ＬＴＥのセルで受信したＵＭＴＳセルにおけるＬｏｇｇｅｄ  ＭＤＴの設定情報を含むメッセージの報告
一方、基地局制御局ＲＮＣ／基地局ＮＢ４４による当該メッセージの送信は、以下の２つの方法のいずれかで行う。
【０２４５】
Ｃ）  ＵＭＴＳセルにおけるＬｏｇｇｅｄ ＭＤＴによる測定情報取得の継続の指示を含むメッセージの通知
Ｄ）  ＵＭＴＳセルにおけるＬｏｇｇｅｄ  ＭＤＴの設定情報を含むメッセージの通知
ステップＳ８１３：  基地局制御局ＲＮＣ／基地局ｅＮＢ４４は、所定タイミングで、無線端末ＵＥ４６をアイドル状態（UMTS Idle）へと遷す指示を行い、無線端末ＵＥ４６は、ＲＲＣ接続を開放し、アイドル状態へと遷移する（RRC Connection Release）。
【０２４６】
ステップＳ８１４：  無線端末ＵＥ４６は、ＵＭＴＳのセルにおいてＬｏｇｇｅｄ  ＭＤＴによる測定情報の取得を行う（Log measurement results in UMTS cell）。
【０２４７】
以上のステップにより、無線端末ＵＥが異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。さらに、第１のＲＡＴがＵＭＴＳで、第２のＲＡＴがＬＴＥである場合には、ＬＴＥの無線基地局ｅＮＢと同様の動作をＵＭＴＳの基地局制御局ＲＮＣ／基地局ＮＢが、ＬＴＥのパケットコアネットワークＥＰＣと同様の動作をＵＭＴＳのコアネットワークＣＮが、それぞれ行うようにすれば良い。同様に、ＵＭＴＳの基地局制御局ＲＮＣ／基地局ＮＢと同様の動作をＬＴＥの無線基地局ｅＮＢが、ＵＭＴＳのコアネットワークＣＮと同様の動作をＬＴＥのパケットコアネットワークＥＰＣが、それぞれ行うようにすれば良い。
【０２４８】
＜実施例８の変形例＞
図１９に示した第８の実施例では、第２のＲＡＴであるＵＭＴＳの基地局制御局ＲＮＣ／基地局ＮＢは、従来の同一ＲＡＴ内のＬｏｇｇｅｄ  ＭＤＴと同様のステップで無線端末ＵＥからログを収集しているが、図１９に示すようなネットワーク動作を行うようにしても良い。
【０２４９】
図１９において、まず図１８に示すステップＳ８０１からＳ８０７までが行われているものとし、所定のタイミングで無線端末ＵＥがセル再選択を行う場合を想定する。
【０２５０】
ステップＳ８０８：  無線端末ＵＥ３６は、所定のセル再選択トリガがかかると、ＬＴＥのセルからＵＭＴＳのセルへとセル再選択を行う（Cell reselection to UMTS cell）。
【０２５１】
ステップＳ８２１：  無線端末ＵＥ４６は、ＲＲＣ接続を確立する要求を基地局制御局ＲＮＣ／基地局ＮＢ４５に行う（RRC Connection Request）。
【０２５２】
ステップＳ８２２：  基地局制御局ＲＮＣ／基地局ＮＢ４５は、ＲＲＣ接続を確立する為の制御情報を無線端末ＵＥ４６に通知する（RRC Connection Setup）。
【０２５３】
ステップＳ８２３：  無線端末ＵＥ４６は、当該制御情報を基に、ＲＲＣ接続確立に必要な設定が完了したことを基地局制御局ＲＮＣ／基地局ＮＢ４５に報告する（RRC Connection Setup Complete）。このとき、ＬＴＥのセルにおいて取得したログを保有していること（つまり、利用可能であること）（logMeasAvailable-LTE）と、ＵＭＴＳのセルにおける測定情報の取得（つまり、Ｌｏｇｇｅｄ  ＭＤＴ）の継続の要求を受けたこと（Indication of Reception of Logging Continuation Request for UMTS）を報告する。
【０２５４】
ステップＳ８２４：  基地局制御局ＲＮＣ／基地局ＮＢ４５は、異なるＲＡＴのログを保有している報告を受けたことをネットワーク運用管理装置ＥＭ（Ｓ）４０に通知する（Inter-RAT Log Availability Indication）。
【０２５５】
ステップＳ８２５：  ネットワーク運用管理装置ＥＭ（Ｓ）４０は、異なるＲＡＴのログ保有報告への応答を基地局制御局ＲＮＣ／基地局ＮＢ４５に通知する（Inter-RAT Log Retrieval Response）。図１９では、異なるＲＡＴのログを報告させる場合（Request）を示す。尚、ＥＭ（Ｓ）４０の応答は、事前にオペレータによって設定されたポリシーに基づいて行われることが考えられるが、これに限定はされない。
【０２５６】
ステップＳ８２６：  基地局制御局ＲＮＣ／基地局ＮＢ４５は、無線端末ＵＥ４６にＬＴＥのセルにおいて取得したログを報告させるか否かを判定する（Decision on inter-RAT log retrieval）。ここで、判定方法としては、例えば、コアネットワークＣＮから報告させるように指示（Request）を受けたか否か、或は、異なるＲＡＴのセルにまたがるＬｏｇｇｅｄ  ＭＤＴの実行が必要か否か、などに基づいて判定する方法が考えられる。
【０２５７】
ステップＳ８２７：  基地局制御局ＲＮＣ／基地局ＮＢ４５は、無線端末ＵＥ４６に、ＬＴＥのセルにおいて取得したログを報告するよう指示を行い、無線端末ＵＥ４６は当該ログを報告する（Log Retrieval）。
【０２５８】
ステップＳ８２８：  基地局制御局ＲＮＣ／基地局ＮＢ４５は、無線端末ＵＥ４６から収集したログをトレース情報収集装置ＴＣＥ４７へ転送する（Trace Record Reporting）。
【０２５９】
以上のステップにより、無線端末ＵＥが異なる無線アクセス技術（RAT）間でセル再選択を行って移動しながら継続的な測定情報の取得を行うシステムにおいて、取得した測定情報のログを報告するか否かを無線ネットワーク側の状況やサポートしている機能に応じて判断することができる。尚、ステップＳ８２４、Ｓ８２５は省略しても良いし、ネットワーク運用管理装置ＥＭ（Ｓ）の代わりにコアネットワークＣＮ（ＬＴＥの場合にはパケットコアネットワークＥＰＣ）が行うようにしても良い。
【０２６０】
＜実施例９＞
本発明の第９の実施例について説明する。
【０２６１】
図２０は、第９の実施例における無線ネットワークと無線端末の動作を示すシーケンス図である。図２０では、ネットワーク運用管理装置ＥＭ（Ｓ）５０、ホーム加入者管理サーバＨＳＳ５１、第１の無線アクセス技術（ＲＡＴ）のＬＴＥのパケットコアネットワークＥＰＣ５２、無線基地局ｅＮＢ５３、第２のＲＡＴのＵＭＴＳのコアネットワークＣＮ５４、基地局制御局ＲＮＣ／基地局ＮＢ５５、無線端末ＵＥ５６、トレース情報収集装置ＴＣＥ５７から構成される無線通信システムを想定する。また、ＭＤＴの方式としては、シグナリングベース方式（Signaling based）のＬｏｇｇｅｄ  ＭＤＴを用いる。第９の実施例では、第８の実施例と同様（つまり、第６や第７の実施例と同様）に、ＬＴＥの無線基地局ｅＮＢが、無線端末ＵＥに、ＬＴＥのセルにおけるＬｏｇｇｅｄ  ＭＤＴの指示、ＬＴＥセルで生成したログを保有したままＵＭＴＳセルに移動した場合、ＵＭＴＳセルにて当該ログを報告する指示に加え、ＵＭＴＳセルに移動後にＬｏｇｇｅｄ  ＭＤＴを実行する要求を行う。尚、これらの実施例の他に、第５の実施例と同様の手法を実行する場合にも、容易に適用できることは言うまでもない。
【０２６２】
ステップＳ９０１：  ネットワーク運用管理装置ＥＭ（Ｓ）５０は、ホーム加入者サーバＨＳＳ５１へ、特定の無線端末ＵＥ５６へのＬｏｇｇｅｄ  ＭＤＴによる複数ＲＡＴにまたがる端末測定情報収集（Ｉｎｔｅｒ−ＲＡＴ  Ｌｏｇｇｅｄ ＭＤＴ）の要求を行う（Trace Activation Request for Inter-RAT）。より具体的には、例えば、ネットワーク運用管理装置ＥＭ（Ｓ）が、無線基地局ｅＮＢや基地局制御局ＲＮＣ／基地局ＮＢが以下の動作を実行するように、無線基地局ｅＮＢや基地局制御局ＲＮＣ／基地局ＮＢに要求を出す。
【０２６３】
A）  ＲＡＴ−ＡでＬｏｇｇｅｄ  ＭＤＴを実行させる対象として選択した無線端末ＵＥに、ＲＡＴ−ＡにおけるＬｏｇｇｅｄ ＭＤＴの実行を指示する。
【０２６４】
B) 当該無線端末UEに、ＲＡＴ−Ａで取得したログを異なるＲＡＴ−Ｂに移動後に報告させる。
【０２６５】
C) 当該無線基地局UEに、ＲＡＴ−Ｂにおいて引き続きＬｏｇｇｅｄ ＭＤＴの実行を要求する。
ここで、無線端末ＵＥの特定方法としては、端末個別ＩＤであるＩＭＳＩ（International Mobile Subscriber Identity）やＩＭＥＩ（International Mobile Equipment Identity）などがある。
【０２６６】
ステップＳ９０２：  ホーム加入者管理サーバＨＳＳ５１は、Ｌｏｇｇｅｄ  ＭＤＴの対象となる無線端末ＵＥ５６が位置登録しているエリアを管理するＬＴＥのパケットコアネットワークＥＰＣ５２、及び、ＵＭＴＳのコアネットワークＣＮ５４へ、Ｉｎｔｅｒ−ＲＡＴ  Ｌｏｇｇｅｄ  ＭＤＴの指示を転送する（MDT Activation for Inter-RAT）。
【０２６７】
ステップＳ９０３：  ＬＴＥのパケットコアネットワークＥＰＣ５２は、対象となる無線端末ＵＥ５６が配下に存在する可能性のある無線基地局ｅＮＢ５３へ、Ｉｎｔｅｒ−ＲＡＴ  Ｌｏｇｇｅｄ  ＭＤＴの指示を転送する（MDT Activation for Inter-RAT）。
【０２６８】
ステップ９０４：  対象となる無線端末ＵＥ５６が存在する無線基地局ｅＮＢ５３は、当該無線端末ＵＥ５６へ、ＬＴＥのセルにおける測定情報の取得・報告に加え、ＵＭＴＳのセルにおけるＬＴＥのセルで取得した測定情報の報告、及び、ＵＭＴＳのセルのける測定情報の取得・報告の実行の要求となるメッセージの送信を行う（Logged Measurement Configuration for Inter-RAT）。ここで、当該メッセージは、ＬＴＥのセルにおける測定情報の取得・報告の指示となる第１の設定情報の送信（Logged Measurement Configuration for LTE）に加え、下記３つの方法のいずれかで行う。
【０２６９】
a) ＵＭＴＳのセルにおいて測定情報の取得・報告を行う要求（Logging continuation request for UMTS）の送信
b)  ＵＭＴＳのセルのおける測定情報の取得に必要な第２の設定情報の送信（Logged Measurement Configuration for UMTS）
c) a)又はb)と、ＵＭＴＳのセルにおけるＬＴＥのセルで取得した測定情報の報告を指示する情報を含むメッセージ（Inter-RAT Log Report Indication）を送信
ステップＳ９０５：  無線基地局ｅＮＢ５３は、所定タイミングで、当該無線端末ＵＥ５６をアイドル状態（RRC_Idle）へと遷す指示を行う（RRC Connection Release）。
【０２７０】
ステップＳ９０６：  無線端末ＵＥ５６は、ＬＴＥのセルにおいてＬｏｇｇｅｄ  ＭＤＴによる測定情報の取得を行う（Log measurement results in LTE cell）。
【０２７１】
ステップＳ９０７：  無線端末ＵＥ５６は、所定のセル再選択トリガがかかると、ＬＴＥのセルからＵＭＴＳのセルへとセル再選択を行う（Cell reselection to UMTS cell）。
【０２７２】
ステップＳ９０８：  無線端末ＵＥ５６は、所定のＲＲＣ接続確立トリガがかかると、基地局制御局ＲＮＣ／基地局ＮＢ５５とＲＲＣ接続を確立し、保有しているログを報告する（RRC Connection Establishment and Log Retrieval）。このとき、無線端末ＵＥ５６は、ＬＴＥのセルにおいて取得したログと、ＵＭＴＳのセルにおいて取得したログを識別できる情報を付加して報告する。
【０２７３】
ステップＳ９０９：  基地局制御局ＲＮＣ／基地局ＮＢ５５は、無線端末ＵＥ５６から収集したログをトレース情報収集装置ＴＣＥ５７へ転送する（Trace Record Reporting）。
【０２７４】
ステップＳ９１０：  基地局制御局ＲＮＣ／基地局ＮＢ４５は、位置登録更新を実行する（Location Update）。
【０２７５】
ステップＳ９１１：  無線端末ＵＥ４６は、ＬＴＥの無線基地局ｅＮＢから、ＵＭＴＳのセルにおいてＬｏｇｇｅｄ  ＭＤＴを実行する要求を受けていたことを基地局制御局ＲＮＣ／基地局ＮＢ４４に報告するメッセージを送信し、基地局制御局ＲＮＣ／基地局ＮＢ４４は、当該無線端末ＵＥ４６にＬｏｇｇｅｄ  ＭＤＴを実行させるかを判定し、実行させる場合には、Ｌｏｇｇｅｄ  ＭＤＴの実行を指示するメッセージを送信し、ＵＭＴＳのセルのおける測定情報の取得（及び報告）を継続させる（Logging  Continuation Configuration）。
【０２７６】
ここで、無線端末ＵＥ４６による当該メッセージの送信は、例えば以下の２つの方法のいずれかで行う。
【０２７７】
Ａ）  ＵＭＴＳセルにおけるＬｏｇｇｅｄ  ＭＤＴの設定情報を保有していることを示す情報を含むメッセージの報告
Ｂ）  ＬＴＥのセルで受信したＵＭＴＳセルにおけるＬｏｇｇｅｄ  ＭＤＴの設定情報を含むメッセージの報告
一方、基地局制御局ＲＮＣ／基地局ＮＢ４４による当該メッセージの送信は、以下の２つの方法のいずれかで行う。
【０２７８】
Ｃ）  ＵＭＴＳセルにおけるＬｏｇｇｅｄ ＭＤＴによる測定情報取得の継続の指示を含むメッセージの通知
Ｄ）  ＵＭＴＳセルにおけるＬｏｇｇｅｄ  ＭＤＴの設定情報を含むメッセージの通知
ステップＳ９１２：  基地局制御局ＲＮＣ／基地局ｅＮＢ４４は、所定タイミングで、無線端末ＵＥ４６をアイドル状態（UMTS Idle）へと遷す指示を行い、無線端末ＵＥ４６は、ＲＲＣ接続を開放し、アイドル状態へと遷移する（RRC Connection Release）。
【０２７９】
ステップＳ９１３：  無線端末ＵＥ５６は、ＵＭＴＳのセルにおいて測定情報の取得を行う（Log measurement results in UMTS cell）。
【０２８０】
以上のステップにより、無線端末ＵＥが異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。さらに、第１のＲＡＴがＵＭＴＳで、第２のＲＡＴがＬＴＥである場合には、ＬＴＥの無線基地局ｅＮＢと同様の動作をＵＭＴＳの基地局制御局ＲＮＣ／基地局ＮＢが、ＬＴＥのパケットコアネットワークＥＰＣと同様の動作をＵＭＴＳのコアネットワークＣＮが、それぞれ行うようにすれば良い。同様に、ＵＭＴＳの基地局制御局ＲＮＣ／基地局ＮＢと同様の動作をＬＴＥの無線基地局ｅＮＢが、ＵＭＴＳのコアネットワークＣＮと同様の動作をＬＴＥのパケットコアネットワークＥＰＣが、それぞれ行うようにすれば良い。
【０２８１】
＜実施例９の変形例＞
図２０に示した第９の実施例では、第２のＲＡＴであるＵＭＴＳの基地局制御局ＲＮＣ／基地局ＮＢは、従来の同一ＲＡＴ内のＬｏｇｇｅｄ  ＭＤＴと同様のステップで無線端末ＵＥからログを収集しているが、図２１に示すようなネットワーク動作を行うようにしても良い。
【０２８２】
図２１において、図２０に示すステップＳ９０１からＳ９０６までが行われているものとし、所定のタイミングで無線端末ＵＥがセル再選択を行う場合を想定する。
【０２８３】
ステップＳ９０７：  無線端末ＵＥ３６は、所定のセル再選択トリガがかかると、ＬＴＥのセルからＵＭＴＳのセルへとセル再選択を行う（Cell reselection to UMTS cell）。
【０２８４】
ステップＳ９２１：  無線端末ＵＥ４６は、ＲＲＣ接続を確立する要求を基地局制御局ＲＮＣ／基地局ＮＢ４５に行う（RRC Connection Request）。
【０２８５】
ステップＳ９２２：  基地局制御局ＲＮＣ／基地局ＮＢ４５は、ＲＲＣ接続を確立する為の制御情報を無線端末ＵＥ４６に通知する（RRC Connection Setup）。
【０２８６】
ステップＳ９２３：  無線端末ＵＥ４６は、当該制御情報を基に、ＲＲＣ接続確立に必要な設定が完了したことを基地局制御局ＲＮＣ／基地局ＮＢ４５に報告する（RRC Connection Setup Complete）。このとき、ＬＴＥのセルにおいて取得したログを保有していること（つまり、利用可能であること）（logMeasAvailable-LTE）と、ＵＭＴＳのセルにおける測定情報の取得（つまり、Ｌｏｇｇｅｄ  ＭＤＴ）の継続の要求を受けたこと（Indication of Reception of Logging Continuation Request for UMTS）を報告する。
【０２８７】
ステップＳ９２４：  基地局制御局ＲＮＣ／基地局ＮＢ４５は、異なるＲＡＴのログを保有している報告を受けたことをコアネットワークＣＮに通知する（Inter-RAT Log Availability Indication）。
【０２８８】
ステップＳ９２５：  コアネットワークＣＮは、通知された異なるＲＡＴログを無線端末ＵＥが保有していることの報告を、ネットワーク運用管理装置ＥＭ（Ｓ）４０に転送する（Log Availability Transfer）。
【０２８９】
ステップＳ９２６：  ネットワーク運用管理装置ＥＭ（Ｓ）４０は、異なるＲＡＴのログ保有を報告していることの転送メッセージへの応答をコアネットワークＣＮへ通知する（Log Retrieval Response）。図２１では、異なるＲＡＴのログを報告させる場合（Request）を示す。尚、ＥＭ（Ｓ）４０の応答は、事前にオペレータによって設定されたポリシーに基づいて行われることが考えられるが、これに限定はされない。
【０２９０】
ステップＳ９２７：  コアネットワークＣＮは、基地局制御局ＲＮＣ／基地局ＮＢ４５に、当該異なるＲＡＴのログを保有していることへの応答を通知する（Inter-RAT Log Retrieval Response）。図２１では、異なるＲＡＴのログを報告させる場合（Request）を示す。
【０２９１】
ステップＳ９２８：  基地局制御局ＲＮＣ／基地局ＮＢ４５は、無線端末ＵＥ４６にＬＴＥのセルにおいて取得したログを報告させるか否かを判定する（Decision on inter-RAT log retrieval）。ここで、判定方法としては、例えば、コアネットワークＣＮから報告させるように指示（Request）を受けたか否か、或は、異なるＲＡＴのセルにまたがるＬｏｇｇｅｄ  ＭＤＴの実行が必要か否か、などに基づいて判定する方法が考えられる。
【０２９２】
ステップＳ９２９：l  基地局制御局ＲＮＣ／基地局ＮＢ４５は、無線端末ＵＥ４６に、ＬＴＥのセルにおいて取得したログを報告するよう指示を行い、無線端末ＵＥ４６は当該ログを報告する（Log Retrieval）。
【０２９３】
ステップＳ９３０：  基地局制御局ＲＮＣ／基地局ＮＢ４５は、無線端末ＵＥ４６から収集したログをトレース情報収集装置ＴＣＥ４７へ転送する（Trace Record Reporting）。
【０２９４】
以上のステップにより、無線端末ＵＥが異なる無線アクセス技術（RAT）間でセル再選択を行って移動しながら継続的な測定情報の取得を行うシステムにおいて、取得した測定情報のログを報告するか否かを無線ネットワーク側の状況やサポートしている機能に応じて判断することができる。尚、ステップＳ９２５、Ｓ９２６は省略しても良いし、ネットワーク運用管理装置ＥＭ（Ｓ）の代わりにコアネットワークＣＮ（ＬＴＥの場合にはパケットコアネットワークＥＰＣ）が行うようにしても良い。
【０２９５】
以上に示した本発明の実施例では、基本的に、ネットワーク運用管理装置ＥＭ（Ｓ）やトレース情報収集装置ＴＣＥが無線アクセス技術ＲＡＴ間で共通であることを前提として説明を行った。しかし、本発明は、ＥＭ（Ｓ）やＴＣＥがＲＡＴ毎に異なる場合でも適用できる。例えば、ＥＭ（Ｓ）がＲＡＴ毎に異なる場合、ＥＭ（Ｓ）は第１のＲＡＴにおける測定情報の取得（Ｌｏｇｇｅｄ ＭＤＴ）に関する第１の設定情報を通知すると共に、第２のＲＡＴにおける測定情報の取得（Ｌｏｇｇｅｄ  ＭＤＴ）の要求を通知する方法を用いることができる。一方、ＴＣＥがＲＡＴ毎に異なる場合、例えば、ＥＭ（Ｓ）がトレース関連情報で指定するＴＣＥの情報（例えば、TCE IP AddressやTCE ID）を第１のＲＡＴのみを指定し、第２のＲＡＴの無線局（無線基地局ｅＮＢや基地局制御局ＲＮＣ／基地局ＮＢ）における無線端末ＵＥからの測定情報の収集時にも第１のＲＡＴのＴＣＥの情報を基にＴＣＥを特定し、報告する方法を用いることができる。また、第２のＲＡＴの無線局がもし第１のＲＡＴのＴＣＥの情報からＴＣＥを特定できない場合には、当該測定情報の収集は行わない、或は、収集しても破棄するなどの処理も考えられる。さらに、第２のＲＡＴの無線局が、上位ネットワーク装置、例えばＥＭ（Ｓ）やＥＰＣ／ＣＮにＴＣＥについて、或は、当該異種ＲＡＴの測定情報の収集の要否自体を問い合わせる処理も考えられる。
【０２９６】
以上で本発明の実施の形態及び実施例の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態又は実施例と同様の機能、動作を実現させる。また、上述した実施の形態又は実施例の一部の機能のみをコンピュータプログラムにより実現してもよい。
【０２９７】
また、上記の実施形態の一部又は全部は、以下の付記のようにも記載されうるが、以下には限られない。
【０２９８】
（付記１）  無線端末が、ネットワークが指定する測定情報を、アイドル状態の間に取得し、アクティブ状態の間に当該取得した測定情報を報告する無線通信システムであって、
第１の無線アクセス技術の第１のセルを運用する無線局は、第１のセルにおいて、
前記無線端末に、前記第１のセルにおける前記測定情報の取得に関する第１の設定情報を通知する通知手段と、
前記第１の無線アクセス技術とは異なる第２の無線アクセス技術の第２のセルに移動後に前記第１のセルにおいて取得した前記測定情報に関する情報の報告を行うよう、前記無線端末に指示する指示手段と
を有する無線通信システム。
【０２９９】
（付記２）  前記無線端末が、第２のセルが前記測定情報の取得の対象エリアであるか否かを判定し、
対象エリアである場合に、前記測定情報に関する情報の報告を行う付記１又２の無線通信システム。
【０３００】
（付記３）  前記ネットワークが、前記無線局、前記無線局を管理するネットワーク装置、ネットワーク運用管理装置の１つ以上から構成される付記１又は付記２のいずれかに記載の無線通信システム。
【０３０１】
（付記４）  無線端末が、ネットワークが指定する測定情報を、アイドル状態の間に取得し、アクティブ状態の間に当該取得した測定情報を報告する無線通信システムにおける無線局であって、
第１の無線アクセス技術の第１のセルを運用する第１の無線局は、
前記第１のセルの無線端末に、前記第１のセルにおける前記測定情報の取得に関する第１の設定情報の通知を行う通知手段と、
前記第１の無線アクセス技術とは異なる第２の無線アクセス技術の第２のセルに移動後に前記第１のセルにおいて取得した第１の測定情報に関する情報の報告を行うよう、前記無線端末に指示する指示手段とを有し、
前記第２のセルを運用する第２の無線局は、
前記無線端末から前記第１の測定情報に関する情報の報告を受信する受信手段と、
前記無線端末に、前記第１の測定情報を報告させる収集手段と、
を有する、無線局。
【０３０２】
（付記５）  前記第２の無線局が、前記第１の測定情報を保有していることの報告を受信した場合、
上位のネットワーク装置、又は、ネットワーク運用管理装置へ、前記第１の測定情報を収集するか否かを問い合わせ、
前記ネットワーク装置、又は、前記ネットワーク運用管理装置からの前記問い合わせに対する応答を受信し、前記応答を基に前記第１の測定情報を報告させるか否かを決定する
付記４に記載の無線局。
【０３０３】
（付記６）  無線端末に、アイドル状態の間に測定情報を取得させ、アクティブ状態の間に当該取得した測定情報を報告させるように無線局に対して指示を行うネットワーク装置であって、
前記無線端末が滞在する第１の無線アクセス技術の第１のセルを運用する無線局に、前記無線端末による前記第１のセルにおける前記測定情報の取得に関する第１の設定情報を通知する通知手段と、
前記第１の無線アクセス技術とは異なる第２の無線アクセス技術の第２のセルに移動後に第１のセルにおいて取得した前記測定情報に関する情報の報告を、前記無線端末に行わせるように、前記無線局に対して指示する指示手段と、
を有するネットワーク装置。
【０３０４】
（付記７）  ネットワーク運用管理装置から前記無線局に対する前記通知や前記指示の要求を受け、実行する付記６に記載のネットワーク装置。
【０３０５】
（付記８）  前記第２のセルに移動後に前記第１のセルにおける測定情報の報告を行わせる対象となる無線端末の選択を行う端末選択手段を有し、
前記選択した無線端末を配下に持つ前記無線局へ当該指示を行う付記６又は付記７に記載のネットワーク装置。
【０３０６】
（付記９）  前記端末選択手段において、
前記無線端末の位置情報の報告に関する同意情報を基に、前記無線端末の選択を行う付記８に記載のネットワーク装置。
【０３０７】
更に、実施の形態及び実施例をあげて本発明を説明したが、本発明は必ずしも上記実施の形態及び実施例に限定されるものではなく、その技術的思想の範囲内において様々に変形し実施してもよい。また、各実施の形態又は実施例を適宜組み合わせて実施してもよい。
【０３０８】
本出願は、２０１１年９月３０日に出願された日本出願特願２０１１−２１８７０５号を基礎とする優先権を主張し、その開示の全てをここに取り込む。
【符号の説明】
【０３０９】
１        第１の無線局
２        第１のセル
３        第２の無線局
４        第２のセル
５        無線端末
１０      受信部
１１      復調部
１２      測定制御部
１３      信号生成部
１４      送信部
２０      受信部
２１      復調部
２２      測定部
２３      信号生成部
２４      送信部
【図１】
2013047835.tif 000003
【図２】
2013047835.tif 000004
【図３】
2013047835.tif 000005
【図４】
2013047835.tif 000006
【図５】
2013047835.tif 000007
【図６】
2013047835.tif 000008
【図７】
2013047835.tif 000009
【図８】
2013047835.tif 000010
【図９】
2013047835.tif 000011
【図１０】
2013047835.tif 000012
【図１１】
2013047835.tif 000013
【図１２】
2013047835.tif 000014
【図１３】
2013047835.tif 000015
【図１４】
2013047835.tif 000016
【図１５】
2013047835.tif 000017
【図１６】
2013047835.tif 000018
【図１７】
2013047835.tif 000019
【図１８】
2013047835.tif 000020
【図１９】
2013047835.tif 000021
【図２０】
2013047835.tif 000022
【図２１】
2013047835.tif 000023
【手続補正書】
【提出日】平成26年6月13日(2014.6.13)
【手続補正１】
【補正対象書類名】明細書
【補正対象項目名】００８１
【補正方法】変更
【補正の内容】
【００８１】
ステップＳ１０５：  無線端末５は、第２のセル４で、第１のセル２で取得した第１の測定情報のログを第２の無線局３へ報告する。ここで、無線端末５は、第１の測定情報のログを識別できるように報告を行ってもよい。例えば、無線端末５は、第１の測定情報のログの先頭に、当該ログに対応する無線アクセス技術（RAT）を示す情報を付加する。また、例えば、無線端末５は、第１の測定情報のログの最後に第１のＲＡＴを示す情報を付加する。ただし、ログを識別する方法はこれらの方法に限定されない。尚、無線端末５は、測定情報を取得する際に、これらのＲＡＴと測定情報との対応を識別する為の情報を当該ログに付加しても良い。
【国際調査報告】
2013047835.tif 000024
2013047835.tif 000025
2013047835.tif 000026
2013047835.tif 000027